(57)【要約】  マルチメディアプレゼンテーションシステムは、視聴者の支援を受けないデータ入力を含むデータを、視聴者の自然な助力なしの検知範囲内から収集するように動作可能な入力サブシステムと、支援を受けないデータ入力を含むデータを、プリファレンスに関連付けられるようにして記憶サブシステムに記憶するように動作可能な複数のストレージデバイスを備える、記憶サブシステムと、プリファレンスに従ってマルチメディアプレゼンテーションを選択的に表示するように動作可能であるサーバサブシステムとを含んでなる。【選択図】図１
2016513918.tif 000002
【特許請求の範囲】
【請求項１】
マルチメディアプレゼンテーションシステムであって、
視聴者の支援を受けないデータ入力を含むデータを、前記視聴者の自然な助力なしの検知範囲内から収集するように動作可能な入力サブシステムと、
複数のストレージデバイスを備える記憶サブシステムであって、前記支援を受けないデータ入力を含む前記データを、プリファレンスに関連付けられるようにして該記憶サブシステムに記憶するように動作可能な記憶サブシステムと、
前記プリファレンスに従ってマルチメディアプレゼンテーションを選択的に表示するように動作可能であるサーバサブシステムと
を含んでなる、マルチメディアプレゼンテーションシステム。
【請求項２】
前記プリファレンスは前記視聴者の関心を最も引くように表示される、請求項１に記載のマルチメディアプレゼンテーションシステム。
【請求項３】
前記プリファレンスは広告戦略に合わせられる、請求項１に記載のマルチメディアプレゼンテーションシステム。
【請求項４】
前記複数の記憶サブシステムは、中央記憶サブシステムに対して統計的なパラダイムにおいて配置される、請求項１に記載のマルチメディアプレゼンテーションシステム。
【請求項５】
前記複数の記憶サブシステムは、中央記憶サブシステムに対して釣鐘曲線の正規分布において配置される、請求項１に記載のマルチメディアプレゼンテーションシステム。
【請求項６】
前記視聴者の前記支援を受けないデータ入力は、前記視聴者が能動的な入力を提供することなく、前記視聴者から収集されたデータである、請求項１に記載のマルチメディアプレゼンテーションシステム。
【請求項７】
前記視聴者の前記支援を受けないデータ入力は、前記視聴者が能動的な入力を提供することなく、前記視聴者の環境から収集されたデータである、請求項１に記載のマルチメディアプレゼンテーションシステム。
【請求項８】
前記マルチメディアプレゼンテーションシステムはキオスクに組み込まれる、請求項１に記載のマルチメディアプレゼンテーションシステム。
【請求項９】
前記マルチメディアプレゼンテーションシステムは、生物を関与させるように物体を移動させる、請求項１に記載のマルチメディアプレゼンテーションシステム。
【請求項１０】
データは、能動的な入力を通して前記視聴者からも受信される、請求項１に記載のマルチメディアプレゼンテーションシステム。
【請求項１１】
前記マルチメディアプレゼンテーションシステムは、前記マルチメディアプレゼンテーションに加えて、物品又はサービスを分配するように動作可能である、請求項１に記載のマルチメディアプレゼンテーションシステム。
【請求項１２】
前記マルチメディアプレゼンテーションシステムは、少なくとも１つの更なるマルチメディアプレゼンテーションシステムと通信するように動作可能である、請求項１に記載のマルチメディアプレゼンテーションシステム。
【請求項１３】
前記データは遠隔デバイスから受信される、請求項１に記載のマルチメディアプレゼンテーションシステム。
【請求項１４】
前記サーバサブシステムは、前記データとして関連するデータを探索するために、画像内の言葉又は物体を検出するように動作可能である、請求項１に記載のマルチメディアプレゼンテーションシステム。
【請求項１５】
前記サーバサブシステムは、統計モデルを用いて、前記プリファレンスに従って前記マルチメディアプレゼンテーションとして表示するためのデータの選択を調整する、請求項１に記載のマルチメディアプレゼンテーションシステム。
【請求項１６】
前記サーバサブシステムは、統計モデルを用いて、データの前記マルチメディアプレゼンテーションを調整する、請求項１に記載のマルチメディアプレゼンテーションシステム。
【請求項１７】
前記サーバサブシステムは、統計モデルを用いて、前記統計モデルを調整する、請求項１に記載のマルチメディアプレゼンテーションシステム。
【請求項１８】
前記サーバサブシステムは、視聴者が存在しないときに、前記データストレージをリフレッシュする、請求項１に記載のマルチメディアプレゼンテーションシステム。
【請求項１９】
前記サーバサブシステムは、認識ソフトウェアを組み込む、請求項１に記載のマルチメディアプレゼンテーションシステム。
【請求項２０】
前記サーバサブシステムは、別々の視聴者間の関係を記録する認識ソフトウェアを組み込む、請求項１に記載のマルチメディアプレゼンテーションシステム。
【請求項２１】
前記サーバサブシステムは、ターゲットプレゼンテーションに最も相反する前記視聴者のうちの１つを識別する認識ソフトウェアを組み込む、請求項１に記載のマルチメディアプレゼンテーションシステム。
【請求項２２】
前記サーバサブシステムは、前記ターゲットプレゼンテーションに最も相反する前記視聴者に関連付けられるデータを解析し、選択し、記録し、提示するように動作可能である、請求項２１に記載のマルチメディアプレゼンテーションシステム。
【請求項２３】
前記サーバサブシステムは、ターゲットプレゼンテーションに最も一致する前記視聴者のうちの１つを識別する認識ソフトウェアを組み込む、請求項１に記載のマルチメディアプレゼンテーションシステム。
【請求項２４】
前記サーバサブシステムは、前記ターゲットプレゼンテーションに最も一致する前記視聴者に関連付けられるデータを解析し、選択し、記録し、提示するように動作可能である、請求項２３に記載のマルチメディアプレゼンテーションシステム。
【請求項２５】
前記サーバサブシステムは、移動するか、最も速く移動するか、飛行するか、視野の最も大きなパーセンテージを占有するか、設定サイズを超えるか、又は特定の目立つパターン若しくは色を有する物体を識別するように動作可能である、請求項１に記載のマルチメディアプレゼンテーションシステム。
【請求項２６】
前記サーバサブシステムは、前記マルチメディアプレゼンテーションシステムの前記応答型及び創造型マルチメディアプレゼンテーションデバイスを通して与えられるようなプレゼンテーションを記録し、検索するように動作可能である、請求項１に記載のマルチメディアプレゼンテーションシステム。
【請求項２７】
前記検索されたプレゼンテーションは該プレゼンテーションに関与した前記視聴者に関連付けられる、請求項２６に記載のマルチメディアプレゼンテーションシステム。
【請求項２８】
前記視聴者は、第２のマルチメディアプレゼンテーションシステムを通して別の場所において前記データを視聴することができるか否かを選択することができる、請求項１に記載のマルチメディアプレゼンテーションシステム。
【請求項２９】
前記視聴者は、第２のマルチメディアプレゼンテーションシステムを通して別の場所にいる別の視聴者を視聴することを選択することができる、請求項１に記載のマルチメディアプレゼンテーションシステム。
【請求項３０】
前記入力サブシステムは、投票、質問表、選択肢又は試験回答を取り込み、データの選択、解析、記憶及び提示において前記サーバサブシステムを更に指示するように動作可能である、請求項１に記載のマルチメディアプレゼンテーションシステム。
【請求項３１】
前記サーバサブシステムは、経時的に、又はグループと比較して、ある視聴者の生理的変化又は心理的変化を識別するように動作可能であり、そのように識別することによって、前記サーバサブシステムは、データの選択、記憶及び提示を調整できるようになる、請求項１に記載のマルチメディアプレゼンテーションシステム。
【請求項３２】
前記サーバサブシステムは、データを探索するように動作可能であり、前記データはニュース又は他の形で設定時刻以降に生成されたデータである、請求項１に記載のマルチメディアプレゼンテーションシステム。
【請求項３３】
前記サーバサブシステムは、個々の視聴者又は生物の数をカウントし、そのカウントに応答して、応答型及び創造型のマルチメディアプレゼンテーションを調整するように動作可能である、請求項１に記載のマルチメディアプレゼンテーションシステム。
【請求項３４】
前記マルチメディアプレゼンテーションシステムは、セキュリティシステムに組み込まれる、請求項１に記載のマルチメディアプレゼンテーションシステム。
【請求項３５】
前記マルチメディアプレゼンテーションシステムは、生物用のマルチメディアプレゼンテーションシステムに組み込まれる、請求項１に記載のマルチメディアプレゼンテーションシステム。
【請求項３６】
前記マルチメディアプレゼンテーションシステムは、ペット用のマルチメディアプレゼンテーションシステムに組み込まれる、請求項１に記載のマルチメディアプレゼンテーションシステム。
【請求項３７】
前記マルチメディアプレゼンテーションシステムは、設定期間中にアクティブである、請求項１に記載のマルチメディアプレゼンテーションシステム。
【請求項３８】
前記マルチメディアプレゼンテーションシステムは、所定の時間内のみアクティブである、請求項１に記載のマルチメディアプレゼンテーションシステム。
【請求項３９】
マルチメディアプレゼンテーションシステムを表示する方法であって、
視聴者の支援を受けないデータ入力を含むデータを、前記視聴者の自然な助力なしの検知範囲内から収集するステップと、
前記支援を受けないデータ入力を含む前記データを、プリファレンスに関連付けられるようにして記憶サブシステムに記憶するステップと、
前記プリファレンスに従ってマルチメディアプレゼンテーションを表示するステップと
を含んでなる、マルチメディアプレゼンテーションシステムを表示する方法。
【請求項４０】
前記記憶サブシステムは、中央記憶サブシステム及び補助ストレージに対して統計分布において配置されており、釣鐘曲線の正規分布、傾斜分布又は二峰性分布を含む、請求項３９に記載の方法。
【請求項４１】
前記支援を受けないデータ入力を収集するステップは、前記視聴者の前記自然な助力なしの検知範囲内の最も目立つパターン、色又は物体を含む、請求項３９に記載の方法。
【請求項４２】
前記支援を受けないデータ入力を収集するステップは、前記視聴者の最も目立つパターン、色又は物体を含む、請求項３９に記載の方法。
【請求項４３】
前記支援を受けないデータ入力を収集するステップは、経時的に、ある視聴者の生理的変化又は心理的変化を識別するステップを含む、請求項３９に記載の方法。
【請求項４４】
前記支援を受けないデータ入力を収集するステップは、データを探索するステップを含み、前記データはニュース又は他の形で設定時間以降に生成されたデータである、請求項３９に記載の方法。
【請求項４５】
前記プリファレンスは広告戦略に関連付けられる、請求項３９に記載の方法。
【請求項４６】
前記マルチメディアプレゼンテーションシステムに前記プレゼンテーションとともにリアルタイムに統合するために、少なくとも１つの更なるマルチメディアプレゼンテーションシステムを遠隔監視するステップを更に含む、請求項３９に記載の方法。
【請求項４７】
先行する期間から準備されたプレゼンテーションを統合するステップを更に含む、請求項３９に記載の方法。
【請求項４８】
前記表示するステップにおいて、前記視聴者が存在していたかのように、先行する期間から準備されたプレゼンテーションを統合するステップを更に含む、請求項３９に記載の方法。
【請求項４９】
マルチメディアプレゼンテーションシステムであって、
視聴者の支援を受けないデータ入力を含むデータを、前記視聴者の自然な助力なしの検知範囲内から収集するように動作可能な入力サブシステムと、
複数のストレージデバイスを備える記憶サブシステムであって、前記支援を受けないデータ入力を含む前記データを、プリファレンスに関連付けられるようにして該複数のストレージデバイスに記憶するように動作可能であり、前記複数のストレージデバイスは中央記憶サブシステムに対して正規分布に配置される、記憶サブシステムと
を含んでなる、マルチメディアプレゼンテーションシステム。
【請求項５０】
前記プリファレンスに従ってディスプレイ上にマルチメディアプレゼンテーションを選択的に表示するように動作可能であるサーバサブシステムを更に備える、請求項４９に記載のマルチメディアプレゼンテーションシステム。
【請求項５１】
前記プリファレンスは前記視聴者の関心を最も引くように表示される、請求項４９に記載のマルチメディアプレゼンテーションシステム。
【請求項５２】
前記視聴者の前記支援を受けないデータ入力は、前記視聴者が能動的な入力を提供することなく、前記視聴者から収集されるデータを指している、請求項４９に記載のマルチメディアプレゼンテーションシステム。
【請求項５３】
前記複数の記憶デバイスは、データの所定の標準偏差に対応するように分離されるデータを含む、請求項４９に記載のマルチメディアプレゼンテーションシステム。
【請求項５４】
新たなデータに直面するのに応じて、前記データは前記中央記憶サブシステム内のプリファレンスと比較され、統計的に異ならない場合には、前記データは前記中央記憶サブシステムに記憶される、請求項４９に記載のマルチメディアプレゼンテーションシステム。
【請求項５５】
新たなデータに直面するのに応じて、前記データは前記中央記憶サブシステム内のプリファレンスと比較され、統計的に異なる場合には、前記データは前記複数の記憶デバイスのうちの１つに記憶される、請求項４９に記載のマルチメディアプレゼンテーションシステム。
【請求項５６】
新たなデータに直面するのに応じて、前記データは前記中央記憶サブシステム内のプリファレンスと比較され、前記新たなデータ及び前記プリファレンスが基本的な釣鐘曲線分布に従って１標準偏差未満である場合には、前記新たなデータは、前記中央記憶サブシステムに記憶される、請求項４９に記載のマルチメディアプレゼンテーションシステム。
【請求項５７】
新たなデータに直面するのに応じて、前記データは、該データが割り当てられている前記記憶サブシステム内に以前に記憶されたデータファイルと比較され、前記新たなデータが既に記憶されているデータファイルに統計的に類似である場合には、前記新たなデータファイルを表に入れるが、破棄することができ、又は前記新たなデータがデータセット内の最頻値、平均又は中央値のような平均値を表すことになるか、又は前記データセットの最大又は最小の代表値に関する境界を表すが、依然として前記データセット内にある場合には、前記新たなデータは保持することができ、他の記録されたデータファイルは破棄し、表に入れてのみ保持することができる、請求項５６に記載のマルチメディアプレゼンテーションシステム。
【請求項５８】
新たなデータに直面するのに応じて、前記データは前記中央記憶サブシステム内の前記プリファレンスと比較され、前記新たなデータが１標準偏差より大きいが、２標準偏差以内だけ限界寸法に関して小さいと判断される場合には、前記格付けが前記ファイルに割り当てられ、前記複数の記憶サブシステムのうちの１つに記憶され、前記複数の記憶サブシステムのうちの前記１つは、第１の標準偏差記憶サブシステムである、請求項４９に記載のマルチメディアプレゼンテーションシステム。
【請求項５９】
新たなファイルが、この標準偏差の中心に、より近いと識別される場合には、これらの新たなファイルは保持され、前記表に入れることを除いて、先行するファイルは破棄することができ、前記表に入れることは、前記統計分布を調整する役割を果たす、請求項５７に記載のマルチメディアプレゼンテーションシステム。
【請求項６０】
前記正規分布は釣鐘曲線分布である、請求項４９に記載のマルチメディアプレゼンテーションシステム。
【請求項６１】
マルチメディアプレゼンテーションを表示する方法であって、
視聴者の支援を受けないデータ入力を含むデータを、前記視聴者の自然な助力なしの検知範囲内から収集するステップと、
前記支援を受けないデータ入力を含む前記データを、プリファレンスに関連付けられるようにして記憶サブシステムに記憶するステップであって、前記複数の記憶サブシステムは中央記憶サブシステムに対して釣鐘曲線の正規分布に配置される、記憶するステップと、
前記プリファレンスに従ってマルチメディアプレゼンテーションを表示するステップと
を含んでなる、マルチメディアプレゼンテーションを表示する方法。
【請求項６２】
前記記憶サブシステムは中央記憶サブシステムに対して釣鐘曲線の正規分布に配置される、請求項６１に記載の方法。
【請求項６３】
前記支援を受けないデータ入力を収集するステップは、前記視聴者の前記自然な助力なしの検知範囲内の最も目立つパターン、色又は物体を含む、請求項６１に記載の方法。
【請求項６４】
前記プリファレンスに関連付けられるデータの所定の標準偏差に対応するようにデータを分離するステップを更に含む、請求項６１に記載の方法。
【請求項６５】
新たなデータに直面するのに応じて、前記データは前記中央記憶サブシステム内のプリファレンスと比較され、統計的に異ならない場合には、前記データは前記中央記憶サブシステムに記憶される、請求項６４に記載の方法。
【請求項６６】
新たなデータに直面するのに応じて、前記データは前記中央記憶サブシステム内のプリファレンスと比較され、統計的に異なる場合には、前記データは前記複数の記憶サブシステムのうちの１つに記憶される、請求項６５に記載の方法。
【請求項６７】
新たなデータに直面するのに応じて、前記データは前記中央記憶サブシステム内のプリファレンスと比較され、前記新たなデータ及び前記プリファレンスが基本的な釣鐘曲線分布に従って１標準偏差未満である場合には、前記新たなデータは前記中央記憶サブシステムに記憶されるが保持されない、請求項６１に記載の方法。
【請求項６８】
新たなデータに直面するのに応じて、前記データは前記中央記憶サブシステム内の前記プリファレンスと比較され、前記新たなデータが１標準偏差より大きいが、２標準偏差以内だけ限界寸法に関して小さいと判断される場合には、前記格付けが前記ファイルに割り当てられ、前記複数の記憶サブシステムのうちの１つに記憶され、前記複数の記憶サブシステムのうちの前記１つは、第１の標準偏差記憶サブシステムである、請求項６１に記載の方法。
【請求項６９】
新たなファイルが、この標準偏差の中心に、より近いと識別される場合には、これらの新たなファイルは保持され、前記表に入れることを除いて、先行するファイルは破棄することができ、前記表に入れることは、前記統計分布を調整する役割を果たす、請求項６１に記載の方法。
【請求項７０】
前記中央記憶サブシステムをデフラグメントするか、又は別の方法で最適化しながら、データを記憶して合成するために、データをバックアップ記憶サブシステムに記憶するステップを更に含む、請求項６１に記載の方法。
【請求項７１】
マルチメディアプレゼンテーションシステムであって、
支援を受けないデータ入力を含むデータを、プリファレンスに関連付けられるようにして記憶するように動作可能な複数のストレージデバイスを備える記憶サブシステムと、
前記プリファレンスに従ってマルチメディアプレゼンテーションをディスプレイ上に選択的に表示するように動作可能なサーバサブシステムと
を含んでなる、マルチメディアプレゼンテーションシステム。
【請求項７２】
視聴者の支援を受けないデータ入力を含むデータを収集するように動作可能な入力サブシステムを更に備える、請求項７１に記載のマルチメディアプレゼンテーションシステム。
【請求項７３】
前記視聴者の前記支援を受けないデータ入力は、前記視聴者が能動的な入力を提供することなく、前記視聴者から収集されたデータを指している、請求項７２に記載のマルチメディアプレゼンテーションシステム。
【請求項７４】
前記複数の記憶サブシステムは、中央記憶サブシステムに対して釣鐘曲線の正規分布に配置される、請求項７１に記載のマルチメディアプレゼンテーションシステム。
【請求項７５】
前記マルチメディアプレゼンテーションシステムは、複数のマルチメディアプレゼンテーションシステムのうちの１つであり、前記複数のマルチメディアプレゼンテーションシステムは管理者と通信する、請求項７１に記載のマルチメディアプレゼンテーションシステム。
【発明の詳細な説明】
【技術分野】
【０００１】
本開示は、２０１３年３月６日に出願された米国仮特許出願第６１／７７３，８０６号の優先権を主張する。
【０００２】
本開示は、包括的には、環境又はデータ入力に関するカスタマイズされた応答型マルチメディアプレゼンテーション、芸術又はモーフィングによる再現を配信するシステム、方法及びデバイスに関し、応答型解釈を表す、データ入力の合成データ及び解析に関する。より詳細には、本開示は、識別された視聴者に合わせてコード化されたリアルタイム環境変数、保存された選択及び好みのものから合成された芸術形態を動的に作り出すことに関し、そして、この合成は、対応する原型的な芸術的な設計及び戦略によって更にフォーマットされる。
【背景技術】
【０００３】
一般に、芸術の創作を自動化しようとする数多くの試みがあった。データを収集し、解釈するためのシステムは、財務数字を操作するか、又は地形特徴を視覚化するのに成功しているものの、かなり画一化される。
【０００４】
幾つかのプログラムは、モバイル電話のような特殊なデバイスのフォーマットに視聴者が画像を変更するか、又は画像に適応させるためのツールを提供する。聴覚データを視覚データと融合させるか、又はそれらのデータのタイミングを同期させるか、若しくは変更するために、聴覚記録用の同じツールを作製しようとする対応する動きもある。大抵の場合に、これらのツールは、視聴者が、アップロードのために写真を切り取るか若しくは容易にフォーマットするか、又は顔の引き伸ばし若しくは滑稽なサングラスの追加等の歪み効果によって写真をモーフィングするか、又はデシベルレベルが０（存在しない）の場所の開始及び終了によってサウンドセグメント全体を同様に選択するための簡単であるが、標準的な方法を提供する。
【０００５】
より複雑な例は、視聴者によって選択することを容易にするために対象物を１つのディレクトリに編成するプレゼンテーションシステムを記載しているDeutscher他による特許文献１である。しかしながら、その編集ツールは、最初にデータファイルをロードすることはなく、視聴者が操作しなければ、完成した応答型プレゼンテーションも生成しない。
【０００６】
別の例は、データの視覚要素及び聴覚要素を構文解析して、１つのマルチメディアプレゼンテーションにするシステムを記載しているFoote他の特許文献２である。そのようなシステムは、使用されるデータを編集し、効率的に利用するが、提供されるファイル以外のデータ入力を組み込むことはなく、視聴者がプレゼンテーションに影響を与えるための応答及び入力方法も提供しない。
【０００７】
更に別の例は、画像内の個人を識別し、マルチメディアプレゼンテーションの中に合成するために、その個人を含む画像を探索して選択できるようにするAbujbara他の特許文献３である。この場合も先と同様に、この例は、個人データ又は個人の環境データを組み込むことはなく、視聴者のための応答及び入力方法も提供しない。
【０００８】
オンライン・サーチエンジンのために、意味論的な定義に基づいて、言葉、語句及び話題を探索するツールが記載されて使用されている。一例はOmoiguiによる特許文献４であり、その特許出願は、Omoiguiによって情報として包括的に記載される、用語又は語句に意味的に関連する情報を検索し、視聴者が閲覧し、更に選択するために、その情報をリストにおいて提示することを記載している。
【０００９】
さらに、芸術を生成するための試みとして、又は人間が作り出すことができるものと比べて、機械が面白い表現又は意味のある表現を作り出す能力の試験として、複数の機械が作製されている。一例は、所定のパターンを用いないが、制約としてパッドの境界寸法をプリプログラミングして、スケッチブック上に異なる色の線をランダムに描くロボットであろう。
【００１０】
別の例は、テンプレートに従って画像物体を配置することによって動的な画像物体を作り出すシステムを記載しているLee他の特許文献５である。Leeの特許出願において記載されているマルチメディアプレゼンテーションシステムは、プログラムを開始する前に、使用されることになる物体を視聴者が選択する必要があり、それゆえ、プレゼンテーションにおいて、これらの物体の相対的な重要性を評価するか、又は或る物体を他の物体に対してハイライトしたりする方法はなく、そのマルチメディアプレゼンテーションシステムでは、視聴者からの応答を入手し、自動的に調整するいかなる方法もない。
【００１１】
更に一般的には、その結果が芸術として判断されるのではなく、新たな工夫又は斬新さとして解釈される場合があるような、１つの変数に応答して画像を操作するソフトウェアとして用いられる非常に単純化した実例がある。単純な形は、接触温度に応じて色を変更する「ムードリング」であるが、温度は実際の気分についての下手な仕掛けである。
【００１２】
別の例が、Schugの特許文献６であり、周囲光の量に基づいて画像の明るさを操作するか、又は時刻とともに順次に進行することを示すように画像を伝播する芸術形態ディスプレイを開示している。
【００１３】
芸術的表現は、その性質上、未知のコンテンツを組み合わせて、又は既知のコンテンツを視聴者の関心を引く新たな予期しない方法において組み合わせて、視聴者の関心を引く新たな独特の情報を提示する。それゆえ、既知の物体を取得し、既知の物体を既知の方法で組み合わせることが記載されている従来技術は「芸術的ではなく」、人間が芸術的な斬新さを入力するためのツールにすぎない。
【００１４】
マルチメディアプレゼンテーションのための市場は、データの収集及びランク付けを自動化するツール、又は視聴者の好みに合わせてデータを更に操作するために、視聴者、アーティストが応じるか又は介入することができるようなデータの初期編集を提案するツールで主に占められている。環境に応答するそれらのツールは、温度、光又は音などの単一の変数に従ってプレゼンテーション内の音、光又は色の強度を変更する新たな工夫を提示している。環境変数とプレゼンテーション応答とのプリプログラミングされた結び付きは、その性質上、融通が利かず、既知であり、視聴者の好みに応答しないので、結局のところ、これらのツールも視聴者にとって最低限の重要性しか持たない。
【先行技術文献】
【特許文献】
【００１５】
【特許文献１】米国特許出願第１０／１８３，８３０号（米国特許出願公開第２００４／０００１１０６号）
【特許文献２】米国特許第７，３８３，５０９号
【特許文献３】米国特許第８，２３０，３４４号
【特許文献４】米国特許出願第１０／７８１，０５３号（米国特許出願公開第２００４／０２３０５７２号）
【特許文献５】米国特許出願第１１／５８３，７７６号（米国特許出願公開第２００７／０１０１２５１号）
【特許文献６】米国特許出願第０９／３２５，３８６号（米国特許出願公開通知第２００２／００２１２８８号）
【発明の概要】
【課題を解決するための手段】
【００１６】
包括的には、開示される非限定的な一実施形態によるマルチメディアプレゼンテーションシステムは、通常、視聴者がインタラクティブに応答できるようにするマルチメディアプレゼンテーションを生成するために、記憶サブフレームと、表示サブシステムと、サーバサブシステムと、入力サブシステムと、バックアップ記憶サブシステムとを含む。データ入力は、画像、聴覚記録、触覚、臭覚又は味覚等の視聴者の自然感覚の表現と、マルチメディアプレゼンテーションシステム付近から、若しくは遠隔記録デバイスから、若しくはインターネットファイル等のソースから、若しくは気象計測機器等の、コンピュータポートを通してユーザによってマルチメディアプレゼンテーションシステムに接続されるデバイスからのビデオ及びオーディオ記録、又はインターネット記録を通して、光及び色の読取りデバイスを通して与えられる測定値等の、環境示度及び測定値と、視聴者の表情（facial gesture）、体の動き、話し言葉、又はキーボード若しくはインターネット接続を通して入力される対応するフィードバック等の人間表現の識別及び解釈とを含むことができ、また、データ入力は、応答型及び創造型マルチメディアプレゼンテーション画面、ボタン、触覚デバイスに触ることによる直接ユーザ若しくは視聴者入力、又はインターネットを通して、若しくはコンピュータポートを通して与えられる言葉以外の、若しくは文字以外の入力と、視聴者又は遠隔視聴者からのテキスト又はソーシャルメディアも含みうる。
【００１７】
マルチメディアプレゼンテーションシステムは、データ入力を解析する方法、特に、視聴者及びターゲットプリファレンスへの類似性が最も高いことによって、又は視聴者及び記憶されているものと比べて統計的に異なることによって、最も評判がよいと見なされる情報を識別する方法を利用する。マルチメディアプレゼンテーションシステムは、データを効率的に記憶できるようにし、データをリフレッシュして記憶空間を解放できるようにし、新たなデータが解析されるにつれて記憶構成を柔軟に変更できるようにするハードウェア及びソフトウェアを通して記憶方法を利用する。物体及びプレゼンテーション編成方式の原型は、マルチメディアプレゼンテーションシステムの初期設定によって与えることができるが、マルチメディアプレゼンテーションシステムが動作するにつれて経時的に作成、変更又は追加することもできる。マルチメディアプレゼンテーションシステムは、視聴者の関心を最も引くと推定されるマルチメディアプレゼンテーションを生成するように動作する。マルチメディアプレゼンテーションシステムは、視聴者がそれ自体に関心があり、他人がそれらをどのように感じる場合があるかを仮定して解釈する。
【００１８】
マルチメディアプレゼンテーションシステムは、応答型及び創造型マルチメディアプレゼンテーションデバイスの環境から入力され、存在するなら、マルチメディアプレゼンテーションシステムにプリロードされた任意のデータと合成され、その後、原型的な主題に従ってフォーマットされる入力に基づいて、スタートアップ時に応答型及び創造型マルチメディアプレゼンテーションを開始する。
【００１９】
応答型及び創造型マルチメディアプレゼンテーションは、環境入力、インターネットソースの探索、コンピュータポートを通してユーザによって接続される外部データストアの探索、及び他の入力を通して、類似であるか、又は異なると考えられる情報を収集することによって調整される。
【００２０】
マルチメディアプレゼンテーションは、最も関心を引くと解析されるものに関して視聴者から収集され、音、表情及び動き、並びに提案及び撤回等の視聴者によって何気なく与えられるか、又は話し言葉、タッチスクリーンのようなコントロールへの応答若しくはインターネットを介して送信される入力等の視聴者によって意図的に与えられる、本出願において記載される種々の入力タイプに従って解析されるフィードバックに従って更に調整される。
【００２１】
開示される非限定的な別の実施形態では、マルチメディアプレゼンテーションシステムは、将来に改良するために、関連するが、新しい情報、異なる情報、最も評判の良い情報、又は最も重要である情報を能動的に探索する飼い主、視聴者又はグループの関心を引くのが何かを学習することによって、教育又は情報収集デバイスとしての役割を果たすことができる。この実施形態では、マルチメディアプレゼンテーションシステムは、経時的に学習されるような、視聴者の関心を最も引く企画に従ってニュースイベントを解釈することができ、それらのニュースを、最も人を引き付けるようにプレゼンテーションを組み入れることができる。マルチメディアプレゼンテーションシステムは、キーワードを照合すること、引用又は参照をカウントすること、赤色、話者の肩書きの重さのような他の合図に反応すること、又はプリロードされたソースリストを照合すること等を含むために、重要なニュース又は情報を識別するパラダイムを使用することができる。マルチメディアプレゼンテーションシステムは、マルチメディアプレゼンテーションシステムがアクティブであるが、視聴者が存在しないときに特に、教育的ソースから等のコンテンツを探索し、戻ってくる視聴者への新たな、そしてより詳細な情報を統合することもできる。マルチメディアプレゼンテーションシステムは、システムが視聴される可能性が低い時間中に、若しくはシステムが、例えば、近接割込みによって判断されるように設定時間内に視聴されなかった時間中に、コンテンツを探索するように設定することができるか、又はシステムの性能及び応答性を最適化するように、視聴者が存在しない期間中にデータファイルとしてのコンテンツの探索、選択及び記憶を促進するように設定することができる。マルチメディアプレゼンテーションシステムは、視聴者が関与した前回の時間から、又は例えば、夜間のニュースを伝えるために前日の真夜中から等の、定期的に設定された期間から、新しいか又は異なると考えられる情報のみを選択することができる。
【００２２】
開示される非限定的な別の代替の実施形態では、マルチメディアプレゼンテーションシステムの視聴者が解析及びプレゼンテーションの全体的な基調又は目的を制御することができ、それにより、例えば、マルチメディアプレゼンテーションは、より励みになるか又は意欲を引き出す。
【００２３】
また、結果として構成されるシステムがユーザの望む効果により厳密に一致するように、マルチメディアプレゼンテーションシステムは、収集、解析、記憶及びプレゼンテーションのための変数をユーザが設定することができる制御画面又は管理パネルも含みうる。一例として、母親は、デバイスからの早朝のプレゼンテーションが、自分の子供を学校で成果をあげる気にさせるように明るく肯定的であることを望む場合があり、一方、アスリート及びコーチは、プレーヤ及びチームが来るべきゲームに集中することができるように、応答型及び創造型マルチメディアプレゼンテーションが強く、競争心があり、成功志向であることを望む場合があり、教会牧師は、応答型及び創造型マルチメディアプレゼンテーションが穏やかで、瞑想的であること、並びに応答型及び創造型マルチメディアプレゼンテーションが、与えられる聖域を増大するように、新たな情報に比べて、歴史的な記録に対して大きな永続性を有することも望む場合がある。マルチメディアプレゼンテーションシステムは、システムの具体的な応用形態に対してシステムをより理想的に機能させるプログラムアプリケーション及び／又はデータを選択又は追加するために、管理者としての役割を果たす視聴者によって調整又はコード化することができる。マルチメディアプレゼンテーションは、視聴者、特に初めての視聴者がプリファレンス情報を与えることができるようにする入力パラダイムをプリロードすることができ、プリファレンス情報は、システムによって選択することができるか、又は主に閲覧し、選択するためにシステムの中央ストレージに再び割り振ることができる好ましい主題及びルーチンを設定する。例として、システムは、複数対の画像、音及び文字を視聴者に提示するメニュー内にスタートアップルーチンを有することができ、これらの対のそれぞれを視聴者が選択することから、システムは、視聴者が最も好んでいる色、主題、アーティスト、画材、人口統計データ及び関心を判断する。
【００２４】
また、マルチメディアプレゼンテーションシステムは、例えば、雑音及び光のレベルを徐々に上げ、目覚めたときにより快適な体験を提供するために、目覚まし時計の代わりにすることができるか、若しくはアラームシステムと一体に構成することができるか、又は設定された持続時間又は累積された持続時間にわたって、設定された時刻に開始し、終了するタイミングデバイスと一体に構成することができる。マルチメディアプレゼンテーションシステムは、例えば、モーニングアラームをカスタマイズするために、又は設定された時間中に、若しくは視聴者の関心を引くイベント中に気分を変えるために、客に質の高い利益を提供するホテルの各高級スイート内に設けることができる。
【００２５】
マルチメディアプレゼンテーションシステムは、任意の家庭電化製品、製造管理システム、又は視聴者を引き付けるか、関与させるか、若しくは拒否することが望まれる機械と一体に構成することができる。例えば、マルチメディアプレゼンテーションシステムは、熱いうちは子供又はペットを寄せつけないか、若しくは拒否し、食品の調理が完了するか、若しくは完了間近であるときに住宅所有者を呼ぶために、オーブン若しくは調理機器と一体に構成することができるか、又は操作者の同行及び注意を維持するために芝刈り機と一体に構成することができる。
【００２６】
別の代替の実施形態では、マルチメディアプレゼンテーションシステムのユーザは、広告することを望む企業体、又は政治的メッセージを与えることを望む立候補者若しくは支援している後援団体とすることができる。この例では、ユーザは、より容易に受け入れられるように、応答型及び創造型マルチメディアプレゼンテーションを視聴者に適応させようとするが、同時にその製品、サービス又は候補者を支援する立場及び基調を維持することを望む。場合によっては、この実施形態は、ユーモアを通して共感関係を構築するか、又は反対する立場がいかに弱いかを視聴者の残りの人々に対して実証することによって後援者の見掛け上の立場を強化するために、妨害者又は弱い反対者を引き付けるように個人と全く反対の立場及び基調をとることもできる。
【００２７】
開示される別の代替の実施形態では、マルチメディアプレゼンテーションシステムは、関与、視聴者参加及び満足レベルにおけるシステムの有効性を改善するために、顧客サービス応答システムと一体に構成することができる。そのような顧客サービスシステムは、電話で聞こえる聴覚システムとすることができるか、モバイルデバイス若しくはインターネット上のマルチメディアプレゼンテーションとすることができるか、又はマネキン等のこれまでにないプレゼンテーションデバイスに組み込むこともできる。例示的な聴覚電話システムは、視聴者が独り言を言っているかのように、視聴者の発話に一致するアクセント、口調及びテンポを使用することができる。例示的なマネキンは、身体部分又は顔部分の発話又は歌唱及び動きを与えている場合があり、視聴者が近接割込みをトリガするときに、視聴者を認識したことを実証するために、そのような行動を開始又は調整することができ、環境入力及び視聴者応答に従って、刺激出力の応答型及び創造型マルチメディアプレゼンテーションを改善することができる。そのような行動開始又は行動調整は、例えば、手を伸ばして視聴者に触れること、視聴者が身に着けているもの若しくは視聴者の外見を発話若しくは運動に関して忠実に再現すること、又は視聴者の他の様子を真似することを含む。そのようなマネキンは、管理者又は後援者によって更に解析及び使用するために視聴者入力を収集し、記憶している場合もある。
【００２８】
開示される別の代替の実施形態では、マルチメディアプレゼンテーションシステムは、飼い主が存在しない場合であっても、応答型及び創造型マルチメディアプレゼンテーションがペットに対する責任を負い続けるように、ペットのための玩具と一体に構成される。この実施形態では、マルチメディアプレゼンテーションシステムは、飼い主が存在しているかのように、音、臭い又は毎日、特定の時間にわたって動物を引き付けている他の感覚的な合図などの、飼い主の様子をペットに提示することができる。システム入力は、視聴者にとって知覚可能であるが、人間には知覚できない、磁界等の感覚的合図、又は犬には聞こえるが、人間には聞こえないピッチ音に応答することができる。マルチメディアプレゼンテーションシステムが一定の間隔で動物を訓練するか又は楽しませるように、マルチメディアプレゼンテーションシステムの管理者によって時間を管理することができる。また、マルチメディアプレゼンテーションシステムは、人間が存在することが不可能であるか、長時間にわたって人間が存在することが難しいか、若しくは人間の存在が干渉する場合に、又は生物若しくは生物の一部に徐々に刺激を与えて、最も引き付けているものを識別し、マルチメディアプレゼンテーションシステムと生物との間のやりとりを増加させる場合に、情報、計測機器応答を収集する等の目的のために野生生物とともに使用することもできる。
【００２９】
それらの実施形態は、最適には、プリロードされたデータ、原型、統計モデル、解析方法、及びマルチメディアプレゼンテーションがより実効的であり、ライブでのやりとりから途切れないように、管理者がこれらの要素をリアルタイムに入力するか、又は管理者から視聴者にメディアを直接統合させるための方法を含みうる。マルチメディアシステムは、システムの見掛けの応答性を改善するか、システムの性能をリアルタイムに若しくは将来に改善するか、又はその開発及び性能を支援することになるシステムの性能についての情報を得るために、視聴されているときに、又はシステムの近接範囲内から視聴されていないが、別の視聴者又は管理者がプログラムルーチン、プレゼンテーション、データ入力及びファイルの収集若しくは記憶、若しくはマルチメディアシステムの全体性能を調整することができるように、システムの接続部を通して、又はインターネット等の遠隔接続を通して管理することができる。
【００３０】
それらの実施形態のそれぞれ又はいずれかが、マルチメディアプレゼンテーションシステムのマルチメディアプレゼンテーション及び動作をカスタマイズし、１つのシステム内で複数のユーザプレゼンテーションバージョンをサポートし、最適な同時プレゼンテーションのために異なるユーザ間の関係を調整し、飼い主又は管理者に、ユーザ又はユーザタイプに従ってセグメント化された情報を提供するユーザ識別方法も含むことができる。
【００３１】
マルチメディアプレゼンテーションシステムは、それにより、視聴者の関心を最も引くマルチメディアプレゼンテーションを供給し、視聴者を最も引き付け、視聴者に有益であるデータを収集し、応答型及び創造型マルチメディアプレゼンテーションが環境及び視聴者に対する別の様相を調整する場合であっても永続性を有する、基調に関連付けられる広告又はメッセージ、関連する概念及び方法を可能にし、プレゼンテーションとともに、有効性を改善することができ、後援者のための効率を改善することができ、改善されたフィードバックシステムのための入力を得ることができる顧客サービス方式をサポートし、及び／又は生物及び人間に関与するか、楽しませるか、若しくは別の方法で利益を与え、生物及びその挙動についての情報を入手し、将来のシステムが生物と我々との関係にいかに利益を与えることができるかについての理解を改善する。
【００３２】
他に明確に指示されない限り、上記の特徴及び要素は、種々の組み合わせにおいて非排他的に組み合わせることができる。これらの特徴及び要素並びにその動作は、以下の説明及び添付の図面を考慮すると更に明らかになるであろう。しかしながら、以下の説明及び図面は、実際には例示であり、限定すること意図していないことは理解されたい。
【００３３】
種々の特徴は、開示された非限定的な実施形態の以下の詳細な説明から当業者には明らかになるであろう。詳細な説明に添付される図面は、以下のように簡潔に説明することができる。
【図面の簡単な説明】
【００３４】
【図１】開示される非限定的な一実施形態による、応答型及び創造型マルチメディアプレゼンテーションシステムの概略図である。
【図２】処理及び記憶方式の概略図である。
【図３】家庭のような環境におけるマルチメディアプレゼンテーションシステムの１つの具体例の概略的なブロック図である。
【図４】家庭のような環境におけるマルチメディアプレゼンテーションシステムの視聴者プロセスの１つの具体例の概略的なブロック図である。
【図５】図４のユーザプロセスためのデータを表すシステムプロセスの概略的なブロック図である。
【図６】広告のような環境におけるマルチメディアプレゼンテーションシステムの視聴者プロセスの１つの具体例の概略的なブロック図である。
【図７】図６のユーザプロセスためのデータを表すシステムプロセスの概略的なブロック図である。
【図８】政治広告のような環境におけるマルチメディアプレゼンテーションシステムの視聴者プロセスの１つの具体例の概略的なブロック図である。
【図９】図８のユーザプロセスためのデータを表すシステムプロセスの概略的なブロック図である。
【図１０】開示される別の非限定的な実施形態による、マルチメディアプレゼンテーションシステムの概略図である。
【図１１】キオスクのような環境におけるマルチメディアプレゼンテーションシステムの視聴者プロセスの１つの具体例の概略的なブロック図である。
【図１２】図１１のユーザプロセスためのデータを表すシステムプロセスの概略的なブロック図である。
【図１３】レストランのような環境におけるマルチメディアプレゼンテーションシステムの視聴者プロセスの１つの具体例の概略的なブロック図である。
【図１４】図１３のユーザプロセスためのデータを表すシステムプロセスの概略的なブロック図である。
【図１５】インタラクティブ生物用デバイスに組み込まれる、開示される非限定的な一実施形態の図である。
【図１６】インタラクティブ生物のような環境におけるマルチメディアプレゼンテーションシステムの視聴者プロセスの１つの具体例の概略的なブロック図である。
【図１７】図１６のインタラクティブ生物用デバイスプロセスのためのデータを表すシステムプロセスの概略的なブロック図である。
【発明を実施するための形態】
【００３５】
図１は、視聴者に対する応答型及び創造型マルチメディアプレゼンテーションを生成するマルチメディアプレゼンテーションシステム１０を概略的に示す。視聴者は、個人、生物、個人のグループ、生物のグループ、企業体、法人、政府機関、後援者又は他の団体でありうることを理解されたい。
【００３６】
マルチメディアプレゼンテーションシステム１０は、一般に、記憶サブシステム２０と、表示サブシステム３０と、サーバサブシステム４０と、入力サブシステム５０と、バックアップ記憶サブシステム６０とを含む。現時点では、サブシステムの物理的に個別の要素がアクセスを加速させ、性能を促進し、それにより、システムが、許容可能な時間間隔内で作り出し、視聴者に応答できるようにするものと見込まれる。特定のサブシステムが別々に画定されるが、サブシステムのそれぞれ又はいずれも、ハードウェア及び／又はソフトウェアによって、別の方法で組み合わせるか、分離できることは理解されたい。準最適であっても、機能を供給する仮想サーバ区画及び仮想記憶区画を通して、マルチメディアプレゼンテーションシステム１０のそのようなバージョンを作り出すことができる。
【００３７】
記憶サブシステム２０は、中央ストレージデバイス２２と、統計分布においてデータを含む(４つに図示された）複数の補助ストレージデバイス２４Ａ〜２４Ｄとを含む。データの分布を解析し、それを所定の分布パターンに従って特徴付け、パターンによって示される間隔にデータを割り当てる複数のモデル及びパラダイムが存在する。マルチメディアプレゼンテーションシステム１０内で、異なるセット及びパターンのデータを異なる構成において同じストレージデバイスに割り当てることができる。中央ストレージデバイス２２は、プレゼンテーションのための最も可能性が高いか、又は好ましい原型又は芸術的方式を記憶するように動作可能であり、一方、補助的な、又はそれほど好ましくないか、若しくは望ましくない方式は他のストレージデバイス２４Ａ〜２４Ｄに記憶される。
【００３８】
ストレージデバイス２４Ａ〜２４Ｄは、例えば、データの平均から生成されたお気に入り及びプリファレンス、並びに芸術的構図及び統計モデルの原型のアーカイブを記憶する。釣鐘曲線分布の代わりに、又はそれに加えて、傾斜モデル又は他の分布が、データをより正確に表にするための分布の最も代表的なものであると考えられる場合もある。
【００３９】
データセットＡは、データ点の標準偏差間隔に従って中央ストレージデバイス２２及び補助ストレージデバイス２４Ａ〜２４Ｄに対して釣鐘曲線の正規分布において配置される。データセットＢ内のデータの同時記憶は、傾斜分布パターンに従って配置され、生じる可能性が最も高いデータの第１の間隔内のデータ点は中央ストレージデバイス２２内に記憶され、残りの間隔２〜５は、第２のステージ及び第３のステージのストレージデバイス２４Ａ〜２４Ｄにそれぞれ記憶される。データ点が分布間隔内で特有であるか、又はデータセットのより代表的な平均又は終点を表すとき、そのデータ点はファイルとして保持することができ、一方、他のデータ点、平均又は終点に対して全く同じであるか、又は十分に類似である他のデータ点は、表現のために単に表に入れることができ、より効率的に記憶するために、データファイルは破棄される。二峰性分布のような他の統計モデルは、非中央補助ストレージデバイス２４Ａ〜２４Ｄ内に記憶されるモデルの細部を有することができ、このモデルに当てはまるデータ点が記憶されるとき、最も密集している間隔内のデータ点又はデータ点の表現が中央ストレージデバイス２２内に保持され、一方、補助ストレージデバイス２４Ａ〜２４Ｄは、あまり一般的でない間隔内のデータ点又は表現を記憶するために用いられる。
【００４０】
中央ストレージデバイス２２は表現のための最も可能性が高いか、又は好ましい原型又は芸術的方式を記憶するように動作可能であり、一方、補助的な、又はそれほど好ましくないか、若しくは望ましくない方式は他のストレージデバイスに記憶される。ストレージデバイス２４Ａ〜２４Ｄを利用して、データの所定の標準偏差に対応するようにデータを分離することができる。例えば、ストレージデバイス２４Ａ及び２４Ｂは、±１標準偏差より大きいが、±２標準偏差より小さいデータを記憶し、一方、ストレージデバイス２４Ｃ及び２４Ｄは、±２標準偏差より大きいデータを記憶する。
【００４１】
マルチメディアプレゼンテーションシステム１０は、存在するなら、中央ストレージサブシステム２０内に取り込まれた任意のデータと組み合わせて、マルチメディアプレゼンテーションシステム１０の環境から取り込まれた入力に基づいて、スタートアップ時に応答型及び創造型マルチメディアプレゼンテーションを開始し、原型の方式に従ってデータを編成する。
【００４２】
新たなデータに直面すると、そのデータ点がどこに記憶されるかを判断するために、そのデータが中央ストレージデバイス２２内のプリファレンスと比較され、中央データと統計的に異なる場合には、その新たなデータはこれらの他の記憶サブシステムのうちの１つに記憶される。基本的な釣鐘曲線分布を使用し、この新たなデータとプリファレンスとの間の差が１標準偏差より小さい場合には、そのデータは中央ストレージデバイス２２内の表に入れられる。さらに、新たなデータ点が既に記憶されているデータ点に統計的に類似である場合には、新たなデータ点は表に入れられるが、保持されない。代替的には、新たなデータが、１標準偏差より大きいが、２標準偏差以内だけ、サイズ又は輝度のような限界寸法に関して小さいと判断される場合には、そのファイルに格付けが割り当てられ、ストレージデバイス２４Ｃ又は２４Ｄ内に配置される。１標準偏差だけ小さいと識別された第１のファイルは中央ストレージデバイス２２内に配置されるが、新たなファイルは、設定されたこの標準偏差の中心に近いと識別されるか、又は標準偏差の端にあると識別されるので、これらの新たなファイルは保持され、第１のファイルは、表に入れることを除いて、破棄することができる。表に入れることは、統計分布を調整するための役割を果たすことになり、一方、保持されるファイルは、迅速にアクセスするための代表的なセットを保存する。そして、中央ストレージデバイス２２内に記憶される統計モデルは、調整されることになる。
【００４３】
代替的には、１つ以上の中央ストレージデバイス２２は、例えば、ストレージデバイスエラーからの実効的な回復を容易にするために、幾つかのユニットに分割することができるが、これらの仮想記憶サブシステム分割の実施は基本的に同じ目的を果たす。代替的には、複数に分割されたストレージは、モバイルタイプデバイス内に位置することができるか、又はインターネットストレージへの接続を容易にすることができる。記憶サブシステム２０は、基板に実装されるストレージ及び基板に実装されないストレージのような種々のデータデバイスタイプからなることができ、限定はしないが、ＳＡＮ、ＮＡＳ、ｇｂ、フラッシュドライブ、クラウドストレージなどを含む。
【００４４】
例えば、主に視聴者が表示サブシステム３０の視野を出た後である場合があるアイドル期間中に、又は一日のうちで視聴者がシステムを視聴する可能性が最も低い時間帯に、マルチメディアプレゼンテーションシステム１０は、データをバックアップ記憶サブシステム３８に移動させて、ストレージデバイス２４Ａ〜２４Ｄをデフラグメントすることができる。これは、「リアルタイム」処理を向上させるために中央記憶サブシステムをリセットすることになる。そして、バックアップ記憶サブシステム３８内のデータは、迅速なアクセスを容易にするために、中央ストレージデバイス２２及び補助ストレージ２４Ａ〜２４Ｄにロードする前に、再評価し、再フォーマットすることができる。マルチメディアプレゼンテーションシステムは、そのようなアイドル期間中にそのような動作を実行するように設定することもできるし、システムが視聴されている他の期間より、そのようなアイドル期間中にそのような動作を実行することを選ぶように設定することもできる。
【００４５】
サーバサブシステム４０は、全体として、マルチメディアプレゼンテーションシステム１０を動作させる、１つ以上のプロセッサとアプリケーションとの組み合わせである。開示される非限定的な一実施形態によるサーバサブシステム４０は、中央サーバ４２及び（４つが示される）複数の補助サーバ４４Ａ〜４４Ｄとを含み、それぞれ通信するために中央ストレージデバイス２２及び複数の補助ストレージデバイス２４Ａ〜２４Ｄに関連付けることができる。サーバサブシステム４０の機能は、本明細書においてブロック図に関して開示される場合があるが、これらの機能が、専用ハードウェア回路において、又はマイクロプロセッサに基づく電子制御の実施形態において実行することができるプログラミングされたソフトウェアルーチンにおいて規定される場合があることを、本開示の利点とともに当業者は理解されたい。すなわち、サーバサブシステム４０は、例えば、アプリケーションを実行するための永久ストレージ及びＲＡＭを有する、マルチメディアプレゼンテーションシステム１０のためのプロセッサとして主に調整され、一方、記憶サブシステム２０は一般的に、サーバサブシステム４０と通信する、はるかに大規模であり、多くの場合に分離されるファイルデータ構造である。中央サーバ４２に、最も頻繁に使用されるか、又は重要なソフトウェア、原型などを記憶サブシステム２０からＲＡＭにロードさせて直接処理させ、補助サーバ４４Ａ〜４４Ｄに、あまり頻繁に使用されないか、又は重要でないアプリケーションを記憶サブシステム２０から直接処理するためのそれぞれのＲＡＭにロードさせることが有利であるが、本発明の意図を変更することなく、個別又は仮想サーバストレージの任意の組み合わせを使用することができる。例えば、直接アクセスのために中央サーバ４２及び補助サーバ４４Ａ〜４４Ｄの個別のサーバユニットに特定のアプリケーションをプリロードすることができ、物理的又は仮想的な、記憶サブシステム２０からのアプリケーション、データ及びファイルの記憶、アクセス及び処理の種々の組み合わせもそこから利益を得ることは当業者には理解されよう。
【００４６】
サーバサブシステム４０は、視聴者識別子リーダ５２Ａ、キーボード５２Ｂ、インターネット接続５２Ｃ、マイクロフォン５２Ｄ、カメラ５２Ｅ、タッチスクリーン５２Ｆ又は他のデバイス５２Ｇのような複数の入力デバイスを含むことができる入力サブシステム５０と通信する。入力デバイスは表示サブシステム３０に配置することができ、及び／又は表示サブシステム３０によって表示できることは理解されたい。すなわち、インターフェースは仮想インターフェースにすることができる。インターネット又は他の接続を通して種々の遠隔入力デバイスにも接続できることは理解されたい。サーバサブシステム４０は、入力サブシステム５０からのデータを記憶するか否か、及びどこに記憶するかを判断するために、そしてデータを全体的に、部分的に、又は表示サブシステム３０に示される応答型及び創造型マルチメディアプレゼンテーションにおいて何らかの変更を加えて含むか否かを判断するために、中央ストレージデバイス２２内のプリファレンス及び統計モデルにアクセスする。
【００４７】
開示される非限定的な一実施形態では、表示サブシステム３０は、基本的には、壁掛け平面型ディスプレイである。しかしながら、種々のハードウェア、機械的又は電気的な構成及び能力を有する独立型デバイス及びモバイルデバイスを含む、複数の視覚及び聴覚投影デバイスが存在することが理解されるであろう。表示サブシステム３０は、フラットパネルディスプレイ、モバイルデバイス又は他のそのようなデバイスに一般的であるように画面３２Ａ及びスピーカ３２Ｂを含みうる。
【００４８】
表示サブシステム３０は、表示サブシステム３０の視聴可能距離を補う視野を提供する範囲割込みデバイス７０を更に含む。範囲割込みデバイス７０は、視聴者を識別するように動作可能な種々のセンサを含みうる。範囲割込みデバイス７０は、視聴者の接近、後退又は全体的な動きを判断するために、異なる範囲感度を有する２つ以上のセンサを含みうる。開示される非限定的な一実施形態におけるマルチメディアプレゼンテーションシステム１０による識別は、視聴者が入力を与えるいかなる能動的な措置も講じる必要がないように、視聴者によって支援されなくてもよい。提示されるように図示される情報は、図示されるような入力タイプに依存する必要もなければ、図示されるようなセンサに限定される情報のタイプからなる必要もないことも理解されたい。
【００４９】
識別された視聴者の関心を最も引くプレゼンテーションを表示するために、プレゼンテーションシステム１０のサーバサブシステム４０が、様々なタイプの入力にわたってデータの相対的重要性を解析し、視聴者入力に応答してデータの収集及び解析を変更し、記憶サブシステム２０内のデータをフォーマットするように動作可能であるように、範囲割込みデバイス７０は、例えば、視聴者の支援を受けないデータ入力範囲内で視聴者についてのデータを識別するように動作可能である。
【００５０】
範囲割込みデバイス７０は、背景情報から人のシルエットの輪郭を識別し、目及び口の部分的な情報から顔を識別し、顔の境界パターン内の目のような物体を識別し、その環境から分離している物体を画定し、表現のための画像を分離するために、物体認識技術又は顔認識技術のためのプログラムを含みうる。範囲割込みデバイス７０を用いて、２人以上の人又は２匹以上の生物が存在するか否かを識別し、特定の個人又は生物を識別することもできる。代替的には、範囲割込みデバイス７０は、マルチメディアプレゼンテーションシステム１０が汎用性の高いプレゼンテーションを初期設定において行うように、視聴者の身元を識別することなく、視聴者が範囲内に入ってきたことを識別することができる。
【００５１】
範囲割込みデバイス７０は、その特定のターゲットである特定の人又は視聴者グループの顔の特徴又は他の識別用特徴によってトリガすることができる。一例では、マルチメディアプレゼンテーションシステム１０を用いて、特定の人にメッセージを伝達するか、プレゼンテーションに対する特定の視聴者の反応を評価するか、又は特定の人若しくは視聴者グループについての情報、又は特定の人若しくは視聴者グループからの情報を記録する。例えば、特定の人又は視聴者グループの画像又は識別用情報は中央ストレージデバイス２２内に記憶することができ、一方、収集された一貫性のないデータは全く記憶されないか、又は概ねグループ内にいるような変数の高いパーセンテージが一致するが、グループの一部と規定されない視聴者のために使用されるか、又はグループから大きく異なると解析された視聴者のために使用される。別の例として、マルチメディアプレゼンテーションシステム１０は、容疑者が監視場所を訪問するようにおびき寄せることによって、特定の容疑者を捜索するように動作可能にすることができる。この例では、記憶サブシステム２０は、目撃者のスケッチによって与えられるような、顔に応じた目の測定値のような容疑者の特徴を記憶することができ、それによって、正確な顔を知ることなく、マルチメディアプレゼンテーションシステム１０はその測定値の許容範囲内に入る特定の視聴者に異なるプレゼンテーションを供給する。そして、マルチメディアプレゼンテーションシステム１０は、そのような容疑者によるやりとりを記録することができる。
【００５２】
開示される非限定的な一実施形態における範囲割込みデバイス７０は、その代わりに、又はそれに加えて、視聴者からの支援を受けないデータ入力（図２）に応答して、マルチメディアプレゼンテーションシステム１０がカスタマイズされた応答型プレゼンテーションを促進できるように、受動的に又は能動的に視聴者識別子８０とのインターフェースを構成するか、又は別の方法により視聴者識別子８０を認識することができる。本明細書において規定されるときに、「視聴者からの支援を受けないデータ入力」は、視聴者がキーボード入力のような能動的な入力を与えることなく、又は読み値を与えるためにデバイスをタッチすることなく、発話などによってコマンドを伝達することなく、又はデバイスを介して他の医療情報を送信することなく、視聴者について収集されたデータを指している。さらに、「視聴者の自然な助力なしの検知範囲」は、視聴者を裸眼で見ることができるか、助力なしの人の耳によって聞くことができるか、触ることができるか、臭いを嗅ぐことができる範囲、及び生物が視聴者であり、その種類のうちの１つを検知する感覚器官を用いることができる場合の対応する範囲とすることができる。言い換えると、範囲割込みデバイスは、一般的に、視聴者が表示サブシステム３０とやりとりすることができる範囲に対応する。
【００５３】
視聴者識別子８０は、限定はしないが、ＲＦＩＤリーダ、電話番号若しくは識別コード、発話された隠語、又は識別情報の物理的な所有物である顔の特徴及び指紋を含む、種々のタイプからなることもできる。視聴者識別子８０は、能動的なマルチメディアプレゼンテーションシステム１０の存在の有無にかかわらず、入館バッジのような受動的で、支援を受けない識別情報を提供するために従業員によって通常身に付けられる識別子とすることもできる。また、視聴者識別子８０は、例えば、ビデオ入力、聴覚入力、視聴者識別情報及び触覚（振動）インターフェースとすることもできる。種々の応答性の特徴が取り込まれる場合もあり、モバイルデバイスは、インターネットを通して利用可能な中央サーバにアクセスすることができ、それにより、種々の広告メッセージを受信することと引き換えに、ａｐｐ（アプリケーション）として低額又は無料で個人がマルチメディアプレゼンテーションシステム１０を利用できるようにする。
【００５４】
図２を参照すると、マルチメディアプレゼンテーションシステム１０は、物体認識ソフトウェアを利用して、ここで、例えば、視聴者の衣類の上にある星形模様として示される、最も人目を引く模様、色又は物体を識別することができる。そして、マルチメディアプレゼンテーションシステム１０は、識別された模様１００、色又は物体を、例えば、視聴者の年齢、性別又は他の特徴に応じて選択された、例えば、「グッド  モーニング」、「ヘイ  ユー」、「ヘイ  ゴージャス」、「ヘイ  ハンサム」のような視聴者に適した聴覚注意喚起メッセージ１０２とともに、表示サブシステム３０上に反映させる。これらの要素は、応答型及び創造型マルチメディアプレゼンテーションを個人向けに変更し、視聴者をプレゼンテーションに組み込む。別の例では、スケートボーダがマルチメディアプレゼンテーションシステム１０の範囲内に入り、素早いアクショントリックを決めた場合には、マルチメディアプレゼンテーションシステム１０は、より極端な例としてスポーツ競技会のクリップを提示するか、又は基本的なトリックを行い、そして、視聴者にもう一度やってほしい、「そのやり方を教えて？」と頼む若者を提示するか、又は対照的な話題として、視聴者を（ユーモラスに）説教しようとする年長の図書館員−「けがすることになるよ。座って読書しなさい」を提示することができる。
【００５５】
マルチメディアプレゼンテーションシステム１０は、画像、メッセージ、音楽などのアーカイブ２００から記憶サブシステム２０にプリロードされたデータを更に組み込むことができ、そのデータは入手可能な全てのデータから無作為に選択したもの、好きなものの選択リスト、又は最近追加されたものの選択リストとすることができる。視聴者が個々に識別される場合には、マルチメディアプレゼンテーションシステム１０は、特定の視聴者によって、又は視聴者の仲間によって追加されたデータのアーカイブから選択することができる。
【００５６】
マルチメディアプレゼンテーションシステム１０は、屋外の空、例えば、日の入り、日の出、嵐などのビデオキャプチャのような外部入力４００からの背景刺激を更に提示することができる。遠隔インターネット画像、一日の時刻を日の入りの好みのアーカイブ画像に置き換えること、一日の時刻を鳥の鳴き声に置き換えること、雨を示すインターネットデータ源を、雨粒をシミュレートするオーディオファイルに置き換えることを含む、そのような外部データ源はいずれも同様の目的を果たすことができる。この例の場合、日の入りが取り込まれ、表示サブシステム３０上で背景として動くように表示される。
【００５７】
その代わりに、又はそれに加えて、マルチメディアプレゼンテーションシステム１０は、視聴者の関心を更に引くことができる新たな画像又はデータが存在するか否かを確認するために、好みのインターネットサイト若しくはファミリウェブサイトのリスト、又はピクチャライブラリのような外部データ源を探索することができる。マルチメディアプレゼンテーションシステム１０は、例えば、物体識別システムを利用して、プレゼンテーションに含むために、例えば、アーカイブ２００から、ウェブサイト上で認識された画像ファイルの全て又は一部を抽出することができる。例えば、視聴者の子供２０２の写真がアーカイブ２００から引き出される。
【００５８】
マルチメディアプレゼンテーションシステム１０によって、視聴者は、好ましい選択肢として中央ストレージデバイス２２上に配置する方式を選択できるようにもなるし、スポンサを募り、そのアーティストの展望を宣伝する企画を売り込むことができるようになる。別の例として、対比色方式と合わせた三角形の構図が好ましい構図原型である場合がある。その代わりに、又はそれに加えて、マルチメディアプレゼンテーションシステム１０は、原型画像として、日の入りのオレンジ色のように、表示サブシステム３０上に提示される色を適応させることができる。そして、このオレンジ色に基づいて、マルチメディアプレゼンテーションシステム１０は、ある濃度のオレンジ色を含む画像をアーカイブ２００から選択する。代替的には、設定された時間内に同様のアイテムが見つけられない場合、第１の入力が調和していないと解析された場合、又は視聴者が措置及び不調和の場合のプリファレンスをあらかじめ示している場合には、まっすぐで鋭いエッジとともに紫色のような対比色を最も異なるものとして選択することができる。
【００５９】
マルチメディアプレゼンテーションシステム１０は、外部入力４００から雲のような曲線エッジを更に識別し、アーカイブ２００において曲線エッジを探索することができる。そして、マルチメディアシステム１０は、アーカイブ画像のこの曲線部分を選択し、類似のオレンジの曲線形状を得るために、この選択した部分を背景の日の入りに融合させる。この例では、マルチメディアプレゼンテーションシステム１０は、この時点までにアクセスされたデータ入力の肯定的な側面と最も一致するのとして類似の色及び形状を利用するか、又はおそらく、肯定的な話題に関して識別された視聴者の学習されたプリファレンスに起因して類似の色及び形状を利用する。
【００６０】
一色だけの色範囲の飽和色方式と、フレームにわたって３分の１の間隔で線が引かれた交点に画材を配置する３分の１ルールを用いる構図とを用いる二次的な原型を、使用するのがそれほど好ましくない方式として、異なるストレージデバイス上に配置することができる。別の例では、中央ストレージデバイス２２上の原型が、「ジョージア・オキーフ」（Georgia O'Keefe）バージョンとして、飽和色、或る特定の画材、構図及び色を好むことができる。代替的には、更に、中央ストレージデバイス２２上の原型は、「ピーターマックス」（Peter Max）バージョンとして、原色と、どこからでも現れ、成長し、表示サブシステム３０にわたって再現する奇抜な形状とを強調することができる。
【００６１】
その代わりに、又はそれに加えて、マルチメディアプレゼンテーションシステム１０は、ここで株式市場値下がり株として図示される、新たな入力５００を更に組み込むことができる。例えば、株式市場値下がり株のニュースは、プレゼンテーションの先行する要素と調和しないと解析されたが、応答型及び創造型マルチメディアプレゼンテーションにおいて強調されるべきである典型的な日常のイベントからのニュース記事と大して違わないか、又は注目に値するので、全表示空間のわずかなパーセンテージにおいて、そのままのプレゼンテーションではなく要約として含まれる場合がある。代替的には、株式市場チャートを提示する代わりに、マルチメディアプレゼンテーションシステム１０は、アーカイブ２００にアクセスし、ここでは花芽として図示される、対照的な形状及び色のグラフィック２０４を選択し、そして、花芽を左中央から右下まで下方に傾斜する異なるサイズのコンテンツとして再現する。
【００６２】
その代わりに、又はそれに加えて、マルチメディアプレゼンテーションシステム１０は、アーカイブ２００にアクセスし、サッカーボールのような関連するグラフィック２０６を選択することによって、その対照的な追加を軽減し、肯定的な基調に戻り、左下から右上への鏡写しのパターンにおいて、この関連する物体を再現することもできる。
【００６３】
ニュース記事が、ニュース記事の履歴と対照的に、「警報」又は「ニュース速報」、例えば、９／１１のようなキーワードで取り込むことを通して、比較して悲観的であるか、又は注目に値する場合には、プレゼンテーション全体を中断し、中央要素としてニュース記事と差し替えることができ、他のデータ入力は、視聴者のデータ入力に応答して、その注目すべきことをサポートするように処理され、提示される。
【００６４】
その代わりに、又はそれに加えて、マルチメディアプレゼンテーションシステム１０は、アーカイブ２００から、構図に適合するように思われるオーディオファイル３００を選択することもできるし、音色が適合すると解析され、そして、表示サブシステム３０のスピーカ３２Ｂを通して送り出されるまで、ラジオ受信機又はライブストリーミングソースのようなデータ入力供給源を走査することもできる。音楽パターンも、対応する措置及び基調であるものを補強することができ、これらの要素は、視聴者からの個人データ入力の一時的な組み込み及び介入にかかわらず、又は視聴者若しくはマルチメディアプレゼンテーションシステム１０による更なる選択にかかわらず、永続性を保持することができる。
【００６５】
このプレゼンテーション例では、表示サブシステム３０にわたって動いている日の入りと、背景において再生されている音楽とに加えて、マルチメディアプレゼンテーションシステム１０は、応答型及び創造型マルチメディアプレゼンテーションの迫力を増すために、静止している画像の集合としてではなく、応答型及び創造型マルチメディアプレゼンテーションの表示サブシステム３０にわたって順次にグラフィック２０４及び２０６を配置する。その迫力を保持するために、マルチメディアプレゼンテーションシステム１０は、アーカイブ２００から、及び外部データ源から代替の画像データを探索し、他の画像又は新規の画像からグラフィック、写真、色及び形状を選択し続ける。先行する画像は新規の画像の中に拡散させることができ、新規の画像は小さなドットとして開始し、サイズが次第に大きくなり、構図のより重要なスポットに移動することもできるし、曲線若しくは角のようなハイライトされた画像の要素のサイズを次第に大きくし、色を次第に濃くすることもでき、全て応答型及び創造型マルチメディアプレゼンテーションをより動的にする例である。マルチメディアプレゼンテーションシステム１０は、行動を拒否するか、又は躊躇させるように、肯定的な方法に加えて否定的な方法に視聴者を関与させることができることを理解されたい。
【００６６】
視聴者は、視聴者識別子８０又は入力サブシステム５０を介して、入力を指示し、及び／又は選択することもできる。その視聴者入力から、マルチメディアプレゼンテーションシステム１０は、視聴者の関心を引く最も高い可能性がある画像、音及びデータを更に精緻化するように誘導される。
【００６７】
図３及び図４を参照すると、家庭のような環境における応答型及び創造型マルチメディアプレゼンテーションの１つの具体例が、視聴者のやりとり（図３）及び関連するシステムプロセス（図４）を表す。この例は視聴者による具体的なやりとりを例示するために提供され、各視聴者のやりとりは、一日の時刻、一年の時期、現在のイベント、天候、気分、やりとり、応答などの数多くの変数に起因して異なる場合があるので、限定すると見なされるべきではないことを理解されたい。
【００６８】
最初に、視聴者は近接割込みデバイス７０の範囲外にあり、応答型及び創造型マルチメディアプレゼンテーションは、外からのわずかなそよ風によって表示サブシステム３０を吹き抜けて、午前８時３０分の現地時間に一致する朝日を映している紅葉の視覚を提供する。そして、視聴者が接近すると、マルチメディアプレゼンテーションシステム１０は、その視聴者をその家の母親として認識するように動作し、それにより、以前に学習されたような母親の好みのパラダイム及び原型、例えば、スワールデザイン、子供の写真及び有名な芸能人にアクセスすることによって応答する（中央ストレージデバイス、図４）。応答型及び創造型マルチメディアプレゼンテーションは、風になびく葉から、くるくる舞っている葉と、子供の写真と、女性シンガーの写真と、所望の心地良い音楽にシンコペートされたニュースの好みのパーソナリティとに姿を変える。
【００６９】
この例では、母親は有名な芸能人の写真を見て、応答型及び創造型マルチメディアプレゼンテーションの写真にタッチする。タッチされると、その写真は拡大され、ゲスト著名人の更なる写真が現れ始め、オーディオ供給源が音楽を流し、その芸能人が、自分が特定のテレビ番組の司会をするつもりはないと話した各ボランティア支援者から１００ドルを受領したことを説明する。
【００７０】
そして、母親は舞っている葉をスワイプする。それに応答して、応答型及び創造型マルチメディアプレゼンテーションは、画面から芸能人の写真を除去し、音楽の速度及びレベルを上げながら、現在の天気予報を立ち上げる。また、システムは個々の芸能人データファイル（ニュース項目）の比率も下げるが、そのようなファイル又はカテゴリが将来にいかに評価されるか、又はアクセスされるかに影響を及ぼすように、初期の関心に起因してその芸能人カテゴリに対する格付けを上げることができる。近接割込みから判断されるように、視聴者が立ち去ってから設定された時間後に、システムは、一致するコンテンツ及びニュース項目を見つけるためにインターネット及び他の潜在的な入力を探索し、将来のアクセスに備えてストレージに追加する。図５を参照すると、マルチメディアプレゼンテーションシステム１０を利用して、広告１０００として調整される応答型及び創造型のマルチメディアプレゼンテーションを表示する。この開示される非限定的な一実施形態では、企業体１００２がプリロードされるメッセージ１０１０を有し、そのメッセージは、視聴者の関心を最も引くと予想され、広告と一致する画像１０３０及び原型１０４０と概念的に全体として調和した注意喚起メッセージ１０２０の集合を含む。表示サブシステム３０は、視聴者が存在しない場合には、始動時にデフォルト広告を実行することができるが、近接割込みデバイス７０を用いて視聴者が近くにいる時点を認識し、それにより、音声情報とともに、より踏み込んだ双方向性の広告をロードする。表示サブシステム３０は、近い範囲に設定された第２の近接割込みデバイスを使用することができ、視聴者がそのような第２の近接割込みデバイスをトリガするときに、システムは、それにより、広告をロードするか、又は視聴者の関心を更に引く広告に複数の様相を組み込むために、視聴者又は視聴者の様相を識別する認識アプリケーションを実行する。通常、視聴者が広告に組み込まれることになる。
【００７１】
そして、マルチメディアプレゼンテーションシステム１０は、上記のような物体認識アルゴリズム及び顔認識アルゴリズムを用いて、視聴者の中から最も近い人の性別及び年齢を識別するか、又は最も近い視聴者グループの平均を識別する。そして、マルチメディアプレゼンテーションシステム１０は、上記で論じられたように、最も適した注意喚起メッセージ１０２０に関連して、識別された視聴者にとって最も適しているメッセージ１０１０及びプリロードされるデータを見つけるために、記憶サブシステム２０を探索する。年齢及び性別に応じて注意喚起メッセージ１０２０をいかに選択することができるかの例が、２０歳女性の声及び画像は１５歳を超えた男性視聴者にとって魅力的である場合があり、一方、１５歳男性の画像及び声は、１２歳未満の男性視聴者にとって魅力的な場合がある例を含む。注意喚起メッセージ１０２０は、企業体１０２０にとって最も価値があり、かつ企業体１００２の関心を引く任意の数の側面に対してロードすることができ、そのプリロードされる注意喚起メッセージ１０２０、及び人口統計データのようなこれらの側面は、記憶サブシステムのストレージ上のデータベースに打ち込むことができる視聴者識別子の助けを借りて、更に指定することができる。さらに、マルチメディアプレゼンテーションシステム１０は、顔認識ソフトウェア及び視聴者識別子を用いて、個々の視聴者を識別し、その視聴者に注意喚起メッセージ１０２０を送ることができる。
【００７２】
また、マルチメディアプレゼンテーションシステム１０は、より適切なプリロードされるメッセージ１０１０を選択するために、又はそうでなければ広告を調整するために、個々の視聴者に関するデータベースを通して、体位及び他の刺激を通して、限定はしないが、親−子、監督者−被監督者、夫−妻などの視聴者間の階層又は関係が存在するか否かも判断することができる。応答型及び創造型マルチメディアプレゼンテーションは、企業体１００２からプリロードされるメッセージ１０１０の後に、提示されるパターン及び注意喚起メッセージ１０２０を付け加える。応答型及び創造型マルチメディアプレゼンテーションは、プリロードされるメッセージとともに設計され、それに一致するような視覚、聴覚又は他の刺激を提示し、プレゼンテーション用にこれらの刺激をフォーマットすることもできる。
【００７３】
そして、マルチメディアプレゼンテーションシステム１０は、視聴者が離れつつあることも検出することができ、参加を再開するか、又は関心を引き延ばすために、他の注意喚起メッセージ１０２０を表示することもできる。注意喚起メッセージ１０２０のうちの１つは、「こんにちは、あなたとお話ししたい」とすることもできるし、特定の視聴者の基調に更にカスタマイズし、感度を上げることができる。マルチメディアプレゼンテーションシステム１０は、例えば、顔認識ソフトウェアを用いて、視聴者がその環境内で特有である特定の物体又は刺激を見ているか否かを判断し、これらの要素を広告に組み込み、それにより、広告をより適時に、個人的に、かつ関心を引くようにすることができる。
【００７４】
全体的な方策として、応答型及び創造型マルチメディアプレゼンテーションは、視聴者の顔、衣類、言葉、基調などを広告に組み込む。ある視聴者が広告より高いデシベルレベルにおいて叫んでいるか、若しくは話している場合、又は破壊的若しくは否定的であると解析されるジェスチャをしている場合には、マルチメディアプレゼンテーションシステム１０は、その視聴者をユーモラスに、又は小さく広告の中に反映させることができる。すなわち、マルチメディアプレゼンテーションシステム１０は、メッセージ１０１０と反対の言葉、表情、衣類の物体及び模様を選択し、これらの反対の要素を原型１０４０との対照的な要素として用いることができる。マルチメディアプレゼンテーションシステム１０は、代替的には、同様の方法において、最も肯定的であるか、又は関心を引いている応答を分離することができる。
【００７５】
マルチメディアプレゼンテーションシステム１０は、ビデオ録画又はオーディオ録音を更に利用して、視聴者のジェスチャ及び発話をリアルタイムに取り込み、そして、それらのセグメントに、笑い声を続けて保持し、そのデータセットの一部若しくは全部である関心度、言葉、語句、ジェスチャ又は物体を補強することができる。広告を適時にサポートするために、マルチメディアプレゼンテーションシステム１０はインターネットビデオサイトを更に探索して、流行のビデオが広告１０００内に同様の視聴者、物体又は画材を含むか否かを判断することができる。
【００７６】
また、マルチメディアプレゼンテーションシステム１０は、例えば、タッチスクリーン、話し言葉又はジェスチャによって、視聴者が投票するか、又は直接賛成を表明するプロセスも含みうる。そのような質問表の結果は、企業体１００２によってデータとして収集することができ、提示されるような広告に影響を与えることもできる。
【００７７】
応答型及び創造型のマルチメディアプレゼンテーションは、広告をより具体的に絞り込むために、限定はしないが、親−子、監督者−被監督者、又は夫−妻などの視聴者間の階層又は関係に応答して、広告をリアルタイムに調整することができる。すなわち、一例にすぎないが、階層に基づいて、応答型及び創造型マルチメディアプレゼンテーションは、視聴者の関心を最も引く種々の環境データ入力に焦点を合わせることもできるし、そこから選択することもできる。
【００７８】
また、マルチメディアプレゼンテーションシステム１０は、視聴者の関心を引く可能性が最も高い環境データ入力又は刺激に焦点を合わせることもできる。そのような関心は、限定はしないが、視聴者に対して素早く移動している物体、設定された時間より長い時間にわたって飛行しているか、若しくは例えばフットボールのような地面に触れていない物体、最も大きいか、最もカラフルであるか、若しくは最も明るい物体、又は、アーカイブ若しくは関連する探索において、例えば、金、セックス、死、傷害、赤色及び黄色スペクトル内の目立つ色、縞模様の黒色、又は縞模様の黒色及び黄色の画材に一致することによって脅威であるか若しくは機会であると解析される、物体若しくは視聴者を含む。
【００７９】
また、応答型及び創造型のマルチメディアプレゼンテーションは、ソーシャルメディア、又は移動電話のようなデバイスを通して友人グループの中で共有することができる個々の広告に縮小することもできる。その広告は、例えば、データ入力若しくはデータ入力の集合を収集する拡張フィードバックループを通して、インターネットを通して、又は外部データ源から作製することができる。
【００８０】
別の実施形態では、応答型及び創造型のマルチメディアプレゼンテーションは、影響及びやりとりを許可する年齢、学年、性別又は集団関係にとって最も相応しいプリロードされるメッセージの集合の中から、教師又は親のような視聴者によって、カリキュラムとして選択される。そのような実施形態では、マルチメディアプレゼンテーションシステム１０は、フィードバックと統合された性能データを収集して、視聴者の関心及び理解を最適化することができる。
【００８１】
視聴者は、視聴者がイベント後に帰宅した状況において、その日の日の入り、又は視聴者の子供の午後の活動のような見逃したイベントを応答型及び創造型マルチメディアプレゼンテーションにおいて再生することを望む場合もある。そのような実施形態では、過去の期間から準備された応答型及び創造型マルチメディアプレゼンテーションが、現在の応答型及び創造型マルチメディアプレゼンテーションに組み込まれ、イベントのタイミングを延長又は短縮する。
【００８２】
別の実施形態では、応答型及び創造型マルチメディアプレゼンテーションは、視聴者自身の応答に関連して、又は互いに関連して、又は同様若しくは反対のグループの他の視聴者に関連して、視聴者の反応を経時的に評価し、視聴者の生理的変化を判断するように動作可能である。そのような応答型及び創造型マルチメディアプレゼンテーションは、プレゼンテーションに応答する反応速度、理解度又は他の要因の変化を測定することによって、医療活動を容易にする医療測定法として動作することができる。一例として、そのような実施形態は、うつ病、脳震とう、薬物、アルコールからの影響、又は視力若しくは聴力の変化の早期の指示を与えることができる。また、マルチメディアプレゼンテーション１０は、曇りの日に明るいプレゼンテーションを与えるなどの、視聴者の心理的影響を助長することもできる。マルチメディアプレゼンテーションシステム１０は、視聴者からの任意の数及び種類の直接の能動的な入力を含むことができ、それらの入力は、別の方法で得られた応答及び別の方法で供給されたプレゼンテーションと組み合わせて、医療情報を提供する。
【００８３】
また、マルチメディアプレゼンテーションシステム１０は、教師がカリキュラム及び試験の進捗を指示する場合、又は通信専門家が応答を評価し、ある観点を支持するか、若しくは反対する専門家を特定する場合のように、やりとり及び監視のためにより大きなネットワークに接続することもできる。
【００８４】
図６及び図７を参照すると、広告を提供するように動作可能な応答型及び創造型のマルチメディアプレゼンテーションの１つの具体例が、関連するシステムプロセス（図７）との視聴者のやりとり（図６）を表す。この例は視聴者による具体的なやりとりを例示するために提供され、限定すると見なされるべきではないことを理解されたい。
【００８５】
最初に、航空機又はバスのような交通機関に関する予想到着時刻及び出発時刻を表示する時計を有するマルチメディアプレゼンテーションシステム１０上で、画像がスクリーンセーバとして動作する。範囲割込みデバイス７０に応答して、その時点で、１人以上の視聴者が識別される。
【００８６】
マルチメディアプレゼンテーションシステム１０は、より近い距離の割込みが入力サブシステム５０によってトリガされるまで、短いビデオクリップを表示する。視聴者は、その時点で、年齢が二十歳ぐらいの若い女性と識別され、応答型及び創造型マルチメディアプレゼンテーションはそれらの女性を対象にする。例えば、ハイヒール用の衣料品広告が、若い女性に、モデルウォーキング、利点を説明する音声情報、音楽の複合ビデオを提示する。そして、応答型及び創造型のマルチメディアプレゼンテーションは、視聴者のうちの１人がヒールで歩いている場面を取り込んだビデオに移行する。１人の視聴者が、その友人のビデオを見て、クスクス笑い、「不器用」と言う。マルチメディアプレゼンテーションシステム１０は、例えば、「不器用ではない。シックな...」と話す教養のあるヨーロッパ女性の声で応答する。
【００８７】
そして、応答型及び創造型のマルチメディアプレゼンテーションは、ヒールの底、上品な細い靴先を接写したビデオを表示する。不平家が「まるで木製のスパイクみたい、頭に刺さるかも」と言う。応答型及び創造型のマルチメディアプレゼンテーションは「木製の杭」を繰り返し言った後に、「これは吸血鬼についての話ではない」と抗議し、吸血鬼の子供漫画を表示し、それに品のない赤い「Ｘ」を重ね合わせ、「これは夜遊びの格好だ」と言う。そして、マルチメディアプレゼンテーションシステム１０は、異なる色のハイヒールを履くより多くの視聴者と、ＮＹナイトライフとを表示する。視聴者のうちの１人が「私はそんなのが好き。５番街に出かけたい」と言う。視聴者コメントと、一致したものを見つけるシステムとの不調和が、インターネットを介して、管理者、企業幹部に警告を送る。管理者は、システムのやりとりをリアルタイムに視聴して、積極的な賛辞であるメッセージを供給するコード化命令と、５番街において商品を在庫している店舗のリストを見つけるためにストレージを探索するコード化命令とを用いて、システムに指示する。視聴者はその賛辞に肯定的に応答し、気に入った店舗名を復唱する。応答型及び創造型のマルチメディアプレゼンテーションは「詳細と、購入場所とを確認することができます」と応答し、視聴者がタッチスクリーンによって電子メールアドレスのような個人情報を入力することができるように、ポップアップキーボードとともに「または電子メールを入力して下さい」を表示する。図８及び図９を参照すると、政治的メッセージを生成する応答型及び創造型のマルチメディアプレゼンテーションの別の具体例が、関連するシステムプロセス（図９）との視聴者のやりとり（図８）を表す。最初に、マルチメディアプレゼンテーションシステム１０は、スクリーンセーバとして画像を周期的に入れ替える。範囲割込みデバイス７０に応答して、１人以上の視聴者の識別情報と、活字で補われ、現在のニュース記事及び記録映像からのグラフィックがちりばめられた候補者の写真、ビデオ及び音声演説の複合画面とが提示される。
【００８８】
そして、範囲割込みデバイス７０が、第２の近い距離内に視聴者が接近したことを識別するのに応答して、マルチメディアプレゼンテーションシステム１０は、視聴者を、全員年齢が二十歳ぐらいの１人の若い女性及び２人の若い男性と識別する。マルチメディアプレゼンテーションシステム１０は、ここで、候補の予想される人口統計データに関する強みに基づいて通信されることになるメッセージを決定するために、女性の重要度を２倍に重み付けし、そして、健康問題について話す候補に移行し、重要であるか尋ねることによって終了する。
【００８９】
この例では、元のグループによる応答は与えられないが、そのグループからの更なる別の人として近接割込みによる妨害者の接近が検出され、そして、否定的としてコメントが記録される。マルチメディアプレゼンテーションシステム１０は同時に、「健康度」を判断するために入力サブシステム５０を通して推定体重を比較することによってそのグループに対応しながら、妨害者に応答し、阻止するルーチンを探索する。マルチメディアプレゼンテーションシステム１０は、否定的なコメントを真似し、妨害者に立ち去るように指示する蓄積メッセージを引き出すことによって、妨害者を阻止する。マルチメディアプレゼンテーションシステム１０が、健康管理に関するメッセージを特定し、準備するとき、システムは、そのグループを健康で、若く、体調が良いと称賛するが、そのグループが健康管理を必要としない場合であっても、高齢の両親又は危機に陥った友人がいる可能性があることを示唆する。視聴者が立ち去り始めるとき、範囲割込みデバイス７０はこれを識別し、「問題ない？仕事について話そう。若い視聴者の機会について話そう」と問いかける候補の音声情報を利用する。視聴者が戻る場合には、マルチメディアプレゼンテーションシステム１０は、「私は以下のように雇用を創出してきた．．．」、そして、「質問させて下さい。これらのうちのどれがあなたにとって最も重要ですか？」と述べる候補者の音声情報を利用する。そして、表示サブシステム３０にタッチすることによって、回答することができる質問表が表示される。
【００９０】
図１０を参照すると、マルチメディアプレゼンテーションシステム１０は、小売業環境において視聴者が見かける場合があるキオスクのような顧客サービスデバイス２０００に組み込まれ、触るか、話すか、又は別の方法で支援の必要性を断定的に指示する視聴者に応答して動作する。例えば、マルチメディアプレゼンテーションシステム１０は、自動販売機、現金自動預け払い機、又は常客を引き付け、購入させるか、若しくは、例えば、購入が完了し、他の常客が待っているときに、その常客の関与を終了させるための任意の取引デバイス内に組み込むことができる。
【００９１】
別の実施形態では、顧客サービスデバイス２０００は、限定はしないが、レストランの待合エリア、診療所、美容院又は宿泊所のような特定の場所に配置され、視聴者が購入する見込みがあるものについての入力を得ながら、視聴者を楽しませるために環境別のカスタマイズを提供する。そのような実施形態では、顧客サービスデバイス２０００は、視聴者が購入するか、更に購入する可能性を引きよせ、高めるために、視聴者を楽しませるか、若しくは視聴者に利益をもたらす措置を実行するか、ジェスチャ、プリロードされたジョーク及びルーチンを行うか、又は物品を配るマネキンとすることができる。
【００９２】
開示される非限定的な一実施形態における顧客サービスデバイス２０００では、不平を言う人がアウトライヤ(outlier)であるか否か、すなわち根拠のない苦情を言っているか否かを判断するために統計モデルを用いることができ、忠告するメッセージを提示し、関与を小さくするか、又は別の方法で関与を終了させ、更には、視聴者についてのさらに詳細な情報を記録し、企業体の製品又はサービスの実施に対する最新動向又は変更の判断を容易にする。そして、マルチメディアプレゼンテーションシステム１０は、このメッセージを表現するか、又は責任を引き受け、それにより、潜在的な思想的先導者と識別されるアウトライヤ又は初めての個人の付加情報を記憶することができ、そのようなメッセージを繰り返すか、又は真似する個人についての取り込む情報を少なくする。マルチメディアプレゼンテーションシステム１０がそれぞれのやりとりで費やす必要があるか、又は視聴者の世話をし、楽しませる必要がある時間を短縮することによって、顧客サービス応答が途切れないように、又は顧客サービス応答がより効率的になるように、マルチメディアプレゼンテーションシステム１０はデータを直接受信することもできる。
【００９３】
図１１及び図１２を参照すると、キオスクのような環境における応答型及び創造型のマルチメディアプレゼンテーションの１つの具体例が、視聴者のやりとり（図１１）及び関連するシステムプロセス（図１２）を表す。最初に、応答型及び創造型のマルチメディアプレゼンテーションは、結束している分隊を示し、参加用の粗品を提供する、待機中の軍隊及びチームワークに関するプリロードされたパラダイムの複合画面によって準備完了状態を有する。
【００９４】
視聴者の接近に応答して、マルチメディアプレゼンテーションシステム１０は、兵士を識別し、ライフル資格取得試験に合格したことに祝辞を述べ、次のフィットネスチャレンジに対する気持ち、兵士がゲームをしたいか否かを尋ね、基地内のニュース及び基地外のニュースを含む。兵士は、「気持ち」を選択し、「自信がある」を選択する。マルチメディアプレゼンテーションシステム１０は、兵士の回答を記録し、一貫性を確認するために兵士の反応速度及び網膜スキャンの履歴と照合し、積極的な賛辞で兵士を再び励まし、そして、「気持ち」枠を直近の作業グループにおける調査で置き換える。そして、応答型及び創造型マルチメディアプレゼンテーションは、仮想もぐらたたきゲームのような反応時間のゲームを提供する。完了時に、マルチメディアプレゼンテーションシステム１０は粗品を配布し、次の兵士が検出されるまで準備完了状態に戻る。
【００９５】
別の実施形態では、マルチメディアプレゼンテーションシステム１０は、限定はしないが、小売店のウインドウ内の大きな水槽の背面にあるプレゼンテーション画面のような、小売店の装飾物又はディスプレイに組み込まれる。そのような実施形態は、潜在的な顧客の関心を高め、継続させるために、視聴者の入力刺激を統合された店舗内の現在の製品又はサービス提供を反映させることができる。そのような実施形態は、限定はしないが、小売店の外部から録音された音を取り込むこと、これらを用いて、応答型及び創造型マルチメディアプレゼンテーションの光及び色に影響を与え、それにより、視聴者の参加及び魚の反応を通して視聴者を引き込むことのように、プレゼンテーションのために１つのタイプのデータ入力から別のタイプのデータ入力に意図的に変換することによって、１つのタイプの共感覚を提示することができる。別の例では、視聴者の数に応じて、クッキー店の外部に匂いを漂わせる。
【００９６】
別の例では、マルチメディアプレゼンテーションシステム１０は、常客を引き付け、楽しませ、その体感を改善するために、レストラン内のインテリアに巻き付けられるか、又はレストラン内のブース若しくは共同座席エリアの装飾物に組み込むことができる大型画面又は一連の画面である。この例では、マルチメディアプレゼンテーションシステム１０は、常客を引き付け、常客の関心を引く雰囲気を作り出すために、タイムズスクエア又はアルプス山頂のような、遠方の場所からの入力を使用することができる。この実施形態では、常客は、レストラン全体のために、又は常客グループの個々の座席エリアのために、１組の遠方の場所の中から選択するか、又は選択するために投票するオプションを有することができる。
【００９７】
マルチメディアプレゼンテーションシステム１０は、ある遠方の場所のデータ入力を、他の視聴者の顔、物体、表情などと統合することができる。そのような実施形態では、１つの座席エリア内の視聴者は、他の常客の別のマルチメディアプレゼンテーションシステム２０上でそれらの常客が視聴者を視聴できるか否かを選択するオプションを有することができ、視聴者は、視聴されることを選んだ顧客と、顧客の座席エリアとを視聴するオプションを有することができる。そのような実施形態は、一例として、居酒屋内のデート又は社交的な出会いを容易にすることができる。
【００９８】
マルチメディアプレゼンテーションシステム１０は、レストランの営業時間中、及び営業終了後にアクティブにすることができ、１つのタイプのセキュリティとして潜在的な犯罪者を識別し、記録することができる。マルチメディアプレゼンテーションシステム１０は、例えば、犯人が検出された部屋の向こう側から「ヘイ  ユー」又は「そこにいるのは誰だ」と叫ぶか、又は遠方のパトカーサイレンが接近してくる音を与えることによって、又は警察若しくは監視サービスと一体に構成することによって、犯人に対して犯行を遅らせるか、説得して思いとどまらせるか、又は警告するメッセージ及びプレゼンテーションを使用することができる。
【００９９】
図１３及び図１４を参照すると、レストランのような環境における応答型及び創造型のマルチメディアプレゼンテーションの１つの具体例が、視聴者のやりとり（図１３）及び関連するシステムプロセス（図１４）を表す。最初に、マルチメディアプレゼンテーションシステム１０を備える異なる都市にあるレストランが、他の都市のレストランからのオーディオ／ビデオを表示する。この例は、ニューヨーク及びマイアミの両方のレストランにあるマルチメディアプレゼンテーションシステム１０を示す。そのレストランでは、ニューヨークの何人かの１０代の若者が、彼らが＃１であると叫び、応答型及び創造型マルチメディアプレゼンテーションが、そのデシベルレベルを識別し、ハンドシンボルを照合し、これらの視聴者を選択し、ハイライトする。マルチメディアプレゼンテーションシステム１０は、＃１の画像を表示し、そして、オスカーなどを表示するために、ニューヨーク関係のニューヨークの視聴者による勝利に関する最近の話、スポーツの話、芸術、授賞式又は他の競技会を見つけるためにストレージを探索する。
【０１００】
マイアミの視聴者はニューヨークからの自慢話を無視するが、アカデミー賞授賞式は別である。若い女性のグループはカラオケマイクをつかみ、お気に入りの映画主題歌の１つとして「Ｌｉｖｅ  ａｎｄ  Ｌｅｔ  Ｄｉｅ」を歌う。ニューヨークの応答型及び創造型のマルチメディアプレゼンテーションは、若い女性が歌っているのを表示し、マイアミシステムは、その歌から「Ｌｉｖｅ」及び「Ｄｉｅ」の言葉を判読し、「Ｌｉｖｅ」という言葉に肯定的にバイアスをかけてインターネットを探索し、ニューヨークディスプレイ上に提示するために、マイアミにおいてクルーズ「Ｓａｉｌ  Ａｃｒｏｓｓ  ｔｈｅ  Ｓｕｎ」を見つける。ニューヨークの視聴者は拍手喝采する。ニューヨークの視聴者は、温暖な場所であることを望むと表現する。マルチメディアプレゼンテーションシステム１０は、１人の男性がミルクセーキからホイップクリームをすくい、自分の鼻につけ、「雪にうんざりしている」と言うのを識別し、これを応答型及び創造型のマルチメディアプレゼンテーション上にビデオクリップとして表示する。マイアミの視聴者は笑い、遊びに来るように合図し、半袖シャツの日焼けした腕を示す。応答型及び創造型のマルチメディアプレゼンテーションは、バーテンダが飲物を作り、視聴者に一杯勧めている場面に切り替える。
【０１０１】
そして、ニューヨークの応答型及び創造型のマルチメディアプレゼンテーションは、女性の歌が終わると、片隅にバーテンダを表示し、応答型及び創造型のマルチメディアプレゼンテーションの片隅に表示するための新たなイベントとして東京の日の出を識別する。ニューヨークの視聴者が立ち上がってダンスするとき、それがマイアミの応答型及び創造型のマルチメディアプレゼンテーションに示される。
【０１０２】
図１５を参照すると、開示される非限定的な別の実施形態では、マルチメディアプレゼンテーションシステム１０は、ペット娯楽デバイス３０００と一体に構成される。マルチメディアプレゼンテーションシステム１０は、動物の関心を引くと予想されるプリロードされた刺激及び動作を有し、その刺激及び動作は人間が知覚できないか、又は人間の関心を引かない場合がある。一例として、刺激はペットが近づくときの鳥の鳴き声のような音とすることができ、その音を拒否することなく、ペット３０１０がそのエリアに鳥がいると信じることが見込まれる。
【０１０３】
娯楽デバイス３０００は、アイドル状態又はデフォルト状態でありうるが、設定距離を有する範囲割込みデバイス７０を用いて、ペットＰの関心度を最適化する。例えば、その動作は、陰になるエリア３０２０の中にあるネズミのしっぽに似ている玩具３０３０が後ずさりとすることとすることができ、それにより、ペットは接近し、長い時間にわたって関与することになる。そのようなマルチメディアプレゼンテーションシステム１０は、ペット３０１０が立ち去っていくときに、さらに大きな注意喚起を促すために、ペットの挙動を評価することができ、どの刺激がペットの関心を最も引くと解析されるか、及びどの刺激が最も異なるが、以前に、又は最近使用されていなかったかを組み合わせることによって、刺激の漸進的な提示を使用することができる。
【０１０４】
応答型及び創造型のマルチメディアプレゼンテーションは、所定の運動を生み出すか、又は別の方法で日中にペットを関与させ、それにより、夜間の活動を抑制するために、設定時間中に、又は毎日、ある総時間にわたってペットを楽しませるように、ペットの飼い主によって改善することができる。マルチメディアプレゼンテーションシステム１０は、インターネット、電話又は他の通信媒体のような外部データ源３０４０にリンクさせることもでき、それにより、マルチメディアプレゼンテーションシステム１０は、遠隔した場所から、ペットを監視するか、指示を完全なものにするか、又は別の方法で楽しむことができる（図１６）。
【０１０５】
マルチメディアプレゼンテーションシステム１０は、マルチメディアプレゼンテーションシステム１０が生物とともに存在しているかのように、又はここで、そのようなプレゼンテーションと一体に構成された視聴者としてマルチメディアプレゼンテーションシステム１０を含むかのように、先行する期間から準備されたプレゼンテーションを後に更に視聴できるようにすることができる。そのような応答型及び創造型のマルチメディアプレゼンテーションは、給餌、排便又は種々の動物の世話の表示のいずれかに組み込むことができる。マルチメディアプレゼンテーションシステム１０は、その娯楽、訓練、動物管理又は数多くの目的のために、ペット、野生動物、家畜又は他の生物の関心を最も引くことになる臭いのような他の刺激を使用することができることを理解されたい。マルチメディアプレゼンテーションシステム１０は、その挙動を食い止めるか、躊躇させるために、否定的な方法及び肯定的な方法において、野生動物、家畜又は他の生物を関与させることができることを更に理解されたい。
【０１０６】
マルチメディアプレゼンテーションシステム１０は、テレビ、移動電話のような通例のデバイスを通して、又は踊る人形、歌うマネキンのような異例のデバイスを通して、更には自動顧客サービス応答を通して、動的な芸術形態を有益に提供する。
【０１０７】
図１６及び図１７を参照すると、ペット娯楽デバイス３０００における応答型及び創造型のマルチメディアプレゼンテーションの１つの具体例が関連するシステムプロセス（図１７）とのやりとり（図１６）を示す。最初に、マルチメディアプレゼンテーションシステム１０の準備完了状態は休止しているが、割込み及びタイマは機能している。ペットとのやりとりが、先行する日々からあらかじめ記録されている時刻を過ぎている場合には、近接割込みデバイス７０が、光及びネズミの鳴き声のような音に関する開始シーケンスをトリガし、後ろにしっぽが出る。応答型及び創造型のマルチメディアプレゼンテーションは通常、ペットの反応を予測されるパラダイムと、かつ猫の場合の履歴と比較し、そして、「娯楽」から選択し、飼い主にウェブメッセージを送信することができる。ウェブサイトによって、ペットの飼い主は猫を視聴し、マルチメディアプレゼンテーションシステムにおけるルーチンを変更し、声によって直接やりとりできるようになる。
【０１０８】
本出願を通して、視聴者、観客及びユーザという用語は全て、マルチメディアプレゼンテーションシステム１０に関心を向け、応答型及び創造型マルチメディアプレゼンテーションから１つ以上の感覚データを知覚することができる個人、生物、個人グループ、生物グループ、企業体、法人、政府機関又は後援者を意味するように定義される。
【０１０９】
本出願を通して、「視聴者の支援を受けないデータ入力」という言い回しは、視聴者がキーボード入力を与えることなく、デバイスに触って読み値を与えることなく、発話などによるコマンドを伝達することなく、又はデバイスを介して他の医療情報を送信することなく、視聴者について収集されるデータを指している。
【０１１０】
本出願を通して、視聴者の自然な助力なしの検知範囲の定義は、視聴者を裸眼で見ることができるか、助力されない人の耳によって聞くことができるか、触ることができるか、臭いを嗅ぐことができる距離、又は動物が視聴者であり、その種類のうちの１つを検知する感覚器官を用いることができる場合の対応する範囲を意味する。
【０１１１】
「前方」、「後方」、「上側」、「下側」、「上方」、「下方」などの相対的な位置に関する用語は、通常の動作姿勢を基準にしており、他の動作姿勢を制限すると見なされるべきではないことは理解されたい。
【０１１２】
同じ参照番号は、幾つかの図面を通して対応する要素又は類似の要素を識別することを理解されたい。また、例示される実施形態において特定の構成要素配置が開示されるが、他の配置も本開示から利益を得ることも理解されたい。
【０１１３】
特定のステップシーケンスが図示され、説明され、及び特許請求されるが、それらのステップは、他に指示されない限り、任意の順序において実行することができるか、別々に又は組み合わせ実行することができ、それでもなお本開示による利益を得ることを理解されたい。
【０１１４】
これまでの説明は、それに限定することによって規定されるのではなく、例示である。本明細書において種々の非限定的な実施形態が開示されるが、上記の教示を踏まえての種々の変更及び変形が、添付の特許請求の範囲内に入ることは当業者には認識されよう。それゆえ、添付の特許請求の範囲内で、本開示は具体的に説明された以外で実施できることは理解されたい。そのため、添付の特許請求の範囲は、真の範囲及び内容を決定するように精査されるべきである。
【図１】
2016513918.tif 000003
【図２】
2016513918.tif 000004
【図３】
2016513918.tif 000005
【図４】
2016513918.tif 000006
【図５】
2016513918.tif 000007
【図６】
2016513918.tif 000008
【図７】
2016513918.tif 000009
【図８】
2016513918.tif 000010
【図９】
2016513918.tif 000011
【図１０】
2016513918.tif 000012
【図１１】
2016513918.tif 000013
【図１２】
2016513918.tif 000014
【図１３】
2016513918.tif 000015
【図１４】
2016513918.tif 000016
【図１５】
2016513918.tif 000017
【図１６】
2016513918.tif 000018
【図１７】
2016513918.tif 000019
【国際調査報告】
2016513918.tif 000020
2016513918.tif 000021